(57)【要約】【課題】ユーザが光ディスクの判別を間違った場合にも、装置の起動時間短縮を可能にする情報処理装置を提供する。【解決手段】光ディスク記録・再生装置に、ユーザが光ディスクの種類を設定するスイッチを設け、かつユーザが前記スイッチにより設定した光ディスクの種類の情報、及び後述する、過去の光ディスク判別結果情報に基づき光ディスク判別を行い、装置が有する、または装置が読み書きアクセス可能な不揮発性メモリに光ディスク判別結果情報を更新及び保持する機能を有する。【選択図】図１
2009301628.tif 000002
【特許請求の範囲】
【請求項１】
複数種類の記録媒体に、記録もしくは再生を行う情報処理装置において、
情報処理装置に装着した記録媒体の種類が情報処理装置が対応する記録媒体の規格と整合するか否か判定する制御手段と、
ユーザが記録媒体の種類を選択するための操作手段と、
ユーザが前記操作手段で選択した記録媒体の種類と装着した記録媒体の種類とが整合しないと前記制御手段が判定した場合に、ユーザが選択した記録媒体の種類と、前記制御手段が判定した各記録媒体の種類について過去に判定された頻度との対応関係を示す誤判定頻度リストを記憶する記憶手段と、を備え、
前記制御手段はまず、情報処理装置に装着した記録媒体の種類がユーザが選択した記録媒体の規格と整合するか否か判定を行い、判定の結果整合しなければ前記誤判定頻度リストの頻度情報に基づき、誤判定頻度が多い記録媒体の種類順に各記録媒体の規格と整合するか否か判定を行い、判定の結果整合した記録媒体の種類に対応する誤判定頻度リストの頻度情報を更新することを特徴とする、情報処理装置。
【請求項２】
複数種類の記録媒体に、記録もしくは再生を行う情報処理装置において、
情報処理装置に装着した記録媒体の種類が情報処理装置が対応する記録媒体の規格と整合するか否か判定する制御手段と、
ユーザが記録媒体の種類を選択するための操作手段と、
ユーザが選択した記録媒体の種類と、前記制御手段が判定した各記録媒体の種類について過去に判定された頻度との対応関係を示す判定頻度リストを記憶する記憶手段と、を備え、
前記制御手段は、判定頻度リストの頻度情報に基づき、判定頻度が多い記録媒体の種類順にそれぞれ記録媒体の規格と整合するか否か判定を行い、判定の結果整合した記録媒体の種類に対応する判定頻度リストの頻度情報を更新することを特徴とする、情報処理装置。
【請求項３】
複数種類の記録媒体に、記録もしくは再生を行う情報処理装置において、
情報処理装置に装着した記録媒体の種類が情報処理装置が対応する記録媒体の規格と整合するか否か判定する制御手段と、
ユーザが記録媒体の種類を選択するための操作手段と、
ユーザが選択した記録媒体の種類に対して、前記複数の記録媒体の種類につき制御手段が整合すると判定した頻度を示す判定頻度リストを記憶する記憶手段と、を備え、
前記制御手段は、情報処理装置に装着した記録媒体の種類がユーザが選択した記録媒体の規格と整合するか否か判定を行い、判定の結果整合しなければ前記判定頻度リストの頻度情報に基づき、誤判定頻度が多い記録媒体の種類順にそれぞれ整合するか否か判定を行い、判定の結果整合した記録媒体の種類に対応する判定頻度リストの頻度情報を更新することを特徴とし、また情報処理装置に装着した記録媒体とユーザが選択した記録媒体の規格の不整合がＮ(Ｎは１以上の整数)回以上起きた場合には情報処理装置に装着した記録媒体がユーザが選択した記録媒体の規格と整合するか否かの判定を必ずしも始めに行わず、判定頻度リストの頻度情報に基づき、判定頻度が多い記録媒体の種類順に整合するか否か判定を行い、判定の結果整合した記録媒体の種類に対応する判定頻度リストの頻度情報を更新することを特徴とする、情報処理装置。
【請求項４】
請求項１または３に記載の情報処理装置において、
前記操作手段は、複数の記録媒体の種類を一度に選択することが可能であり、
前記制御手段は、前記複数の記録媒体の種類が一度に選択された場合には、選択された記録媒体の種類毎に、対応する前記誤判定頻度リストにおいて最も頻度の多い記録媒体の種類及び誤判定頻度を取得し、該取得された誤判定頻度のうち、頻度の少ない記録媒体の種類から判定を行うことを特徴とする情報処理装置。
【請求項５】
請求項２に記載の情報処理装置において、
前記操作手段は、複数の記録媒体の種類を一度に選択することが可能であり、
前記制御手段は、前記複数の記録媒体の種類が一度に選択された場合には、選択された記録媒体の種類毎に、対応する前記判定頻度リストにおいて最も頻度の高い記録媒体の種類及び頻度を取得し、該取得された頻度のうち、頻度の多い記録媒体の種類から判定を行うことを特徴とする情報処理装置。
【請求項６】
請求項１または３に記載の情報処理装置において、
前記制御手段は、前記誤判定頻度リストを、誤判定頻度の多い記録媒体の種類の順番と前記記憶手段のメモリアドレス値を関連させて前記記憶手段に記録することを特徴とする、情報処理装置。
【請求項７】
複数種類の記録媒体に、記録もしくは再生を行う情報処理装置において、
情報処理装置に装着した記録媒体の種類が情報処理装置が対応する記録媒体の規格と整合するか否か判定する制御手段と、
ユーザが記録媒体の種類を選択するための操作手段と、
ユーザが前記操作手段で選択した記録媒体の種類がその規格と整合しないと前記制御手段が判定した場合に、ユーザが選択した記録媒体の種類と、前記制御手段が整合すると判定し生成した過去Ｍ（Ｍは１以上の整数）回分の記録媒体の種類の情報を示す判定メディアログを記憶する記憶手段と、を備え、
前記制御手段はまず、情報処理装置に装着した記録媒体の種類がユーザが選択した記録媒体の規格と整合するか否か判定を行い、判定の結果整合しなければ前記判定メディアログから算出した頻度情報に基づき、誤判定頻度が多い記録媒体の種類順に整合するか否か判定を行い、判定の結果整合した記録媒体の種類の情報で判定メディアログを更新することを特徴とする、情報処理装置。
【請求項８】
複数種類の記録媒体に、記録もしくは再生を行う情報処理装置において、
情報処理装置に装着した記録媒体の種類が情報処理装置が対応する記録媒体の規格と整合するか否か判定する制御手段と、
ユーザが記録媒体の種類を選択するための操作手段と、
ユーザが前記操作手段で選択した記録媒体の種類と、前記制御手段が生成した過去Ｍ（Ｍは１以上の整数）回分の判定結果との対応関係を示す判定メディアログを記憶する記憶手段と、を備え、
前記制御手段は前記判定メディアログから算出した頻度情報に基づき、判定頻度が多い記録媒体の種類順に整合するか否か判定を行い、判定の結果整合した記録媒体の種類の情報で判定メディアログを更新することを特徴とする、情報処理装置。
【請求項９】
複数種類の記録媒体に、記録もしくは再生を行う情報処理装置において、
情報処理装置に装着した記録媒体の種類が情報処理装置が対応する記録媒体の規格と整合するか否か判定する制御手段と、
ユーザが記録媒体の種類を選択するための操作手段と、
ユーザが前記操作手段で選択した記録媒体の種類と装着した記録媒体の種類とが整合しないと前記制御手段が判定した場合に、ユーザが選択した記録媒体の種類と、ユーザが選択した種類とは異なる記録媒体の種類についての過去Ｍ回（Ｍは１以上の整数）の判定結果との対応関係を示す判定メディアログを記憶する記憶手段と、を備え、
前記制御手段は、情報処理装置に装着した記録媒体がユーザが選択した記録媒体の規格と整合するか否か判定を行い、判定の結果整合しなければ前記判定メディアログから算出した頻度情報に基づき、誤判定頻度が多い記録媒体の種類順に整合するか否か判定を行い、判定の結果整合した記録媒体の種類の情報で判定メディアログを更新し、また情報処理装置に装着した記録媒体とユーザが選択した記録媒体の規格の不整合がＮ(Ｎは１以上の整数)回以上起きた場合には情報処理装置に装着した記録媒体がユーザが選択した記録媒体の規格と整合するか否かの判定を必ずしも始めに行わず、判定メディアログから算出した頻度情報に基づき、判定頻度が多い記録媒体の種類順に整合するか否か判定を行い、判定の結果整合した記録媒体の種類の情報で判定メディアログを更新することを特徴とする、情報処理装置。
【請求項１０】
請求項７または９に記載の情報処理装置において、
前記操作手段は、複数の記録媒体の種類を一度に選択することが可能であり、
前記制御手段は、前記複数の記録媒体の種類が一度に選択された場合には、選択された記録媒体の種類毎に、対応する前記判定メディアログにおいて最も頻度の高い記録媒体の種類を取得し、該取得された頻度のうち、頻度の少ない記録媒体の種類から判定を行うことを特徴とする情報処理装置。
【請求項１１】
請求項８に記載の情報処理装置において、
前記操作手段は、複数の記録媒体の種類を一度に選択することが可能であり、
前記制御手段は、前記複数の記録媒体の種類が一度に選択された場合には、選択された記録媒体の種類毎に、対応する前記判定メディアログにおいて最も頻度の高い記録媒体の種類を取得し、該取得された頻度のうち、頻度の少ない記録媒体の種類から判定を行うことを特徴とする情報処理装置。
【請求項１２】
複数種類の記録媒体を記録もしくは再生する情報処理装置において、
情報処理装置に装着した記録媒体の種類が情報処理装置が対応する記録媒体の規格と整合するか否か判定する制御手段と、
ユーザが記録媒体の種類を選択するための操作手段と、を備え、
前記制御手段は、情報処理装置に装着した記録媒体の種類がユーザが選択した記録媒体の規格と整合するか否か判定を行い、前記判定により整合しない場合には、前記ユーザが選択した記録媒体と異なる記録媒体のうち、前記ユーザの選択に対応して過去に前記制御手段が整合すると判定した回数が最も多い記録媒体の種類に整合するか否かを判定することを特徴とする情報処理装置。
【発明の詳細な説明】
【技術分野】
【０００１】
本発明は、複数種類の記録媒体を記録・再生する装置における記録媒体判別を行う装置に関するものである。
【背景技術】
【０００２】
近年、光ディスク技術の進歩に伴い、より高性能の光ディスクが次々に規格化されている。これらの光ディスクを記録または再生する装置は、新たな規格の光ディスクの記録または再生に対応する一方、既存の光ディスクを記録または再生することもユーザメリットのために必要である。例えば、ＣＤ（Compact Disc）、ＤＶＤ（Ｄｉｇｉｔａｌ Ｖｅｒｓａｔｉｌｅ Ｄｉｓｃ）、ＢＤ（Ｂｌｕ−ｒａｙ Ｄｉｓｃ）、ＨＤ（Ｈｉｇｈ Ｄｅｆｉｎｉｔｉｏｎ） ＤＶＤなどが挙げられ、さらにそれぞれの光ディスク規格の中でも、書き換えの可否の違いにより、例えばＢＤではＢＤ−ＲＯＭ（記録不可）、ＢＤ−Ｒ（書き換え不可）、ＢＤ−ＲＥ（書き換え可）の規格がある。さらには、記録膜が単層のものと複数層のものがそれぞれ規格化されているものもある。
【０００３】
この、光ディスクを判別する時間を短縮する技術として、ユーザが装置に光ディスクを挿入する際に、ユーザが光ディスクの種類を設定する技術が発明されている。例えば、特許文献１では、「ユーザーが操作できる位置に、かつユーザーが光ディスクを装置に装着する前に操作できるように、光ディスクの種類を設定するスイッチを設ける。このスイッチからの信号に応じて再生するように適したレーザーが発光するように選択するようにする」ことで起動時間を短くしている。
【０００４】
さらに、特許文献２では、「装着したディスクの種類をユーザが特定する種類特定手段と、前記種類特定手段を介してユーザが特定したディスク種類に基づく装置設定で前記ディスクを起動する起動手段と、前記起動手段によるディスク起動により読み出された情報に基づき前記ユーザ特定のディスク種類の成否を判定する判定手段を具備する」ことで起動手段を短くしている。
【０００５】
【特許文献１】特開２００１−２２２８１７号公報
【特許文献２】特開２００３−１７８４４５号公報
【発明の開示】
【発明が解決しようとする課題】
【０００６】
これらの光ディスクを記録・再生する装置は、装着された光ディスクの種別を判別し、記録または再生するのに必要な各種パラメータを取得しなければならない。このため、装置が対応する光ディスクの種類が増えれば増えるほど、必然的に光ディスクを判別するための時間が長くなり、実際に光ディスクを記録または再生可能な状態になるまでの起動時間が長くなる。
【０００７】
しかしながら、例えば、ユーザの設定のみによってディスクの判定を行う場合においては、ユーザが必ずしも正しい光ディスクの判別を行って設定するとは限らない。また、ユーザが光ディスクの判別を間違い、その後装置が正しい光ディスクの判別を行っても、ユーザが頻繁に間違うようであれば、起動時間短縮の効果が弱くなってしまう。
【０００８】
本発明は、上記のような課題を鑑みてなされたものであり、ユーザが記録媒体の判別を間違った場合にも、装置の起動時間短縮を可能にする情報処理装置を提供する。
【課題を解決するための手段】
【０００９】
情報処理装置に、ユーザが記録媒体の種類を設定するスイッチを設け、かつユーザが前記スイッチにより設定した記録媒体の種類の情報、及び後述する、過去の記録媒体判別結果情報に基づき記録媒体判別を行い、装置が有する、または装置が読み書きアクセス可能な不揮発性メモリに記録媒体判別結果情報を保持及び更新する機能を有する。
【発明の効果】
【００１０】
本発明によれば、ユーザが記録媒体の判別を間違った場合にも、装置の起動時間短縮が可能となる。
【発明を実施するための最良の形態】
【００１１】
本発明を実施するための最良の形態を説明する。
【００１２】
記録媒体の例としては、ディスク状の記録媒体、光ディスク等があるが、これらに限定されない。例えば、ＵＳＢメモリでもＣＦメモリでもよいが、望ましくは、ユーザが媒体の種別を指定する際に、誤った指定が起こり得る記録媒体をいう。また、情報処理装置の例としては、光ディスク記録・再生装置の他に、記録媒体に対して、記録または再生処理を行う装置がある。
【００１３】
以下、実施例として、光ディスク記録・再生装置について、図面を用いて説明する。
【実施例１】
【００１４】
実施例１を説明する。なお、本実施例及び以降の実施例は、記録または再生に対応する光ディスクをＣＤ、ＤＶＤ、ＢＤ、及びＨＤ ＤＶＤとした例とする。
【００１５】
本実施例において、ユーザが光ディスクを挿入してから光ディスク記録・再生装置が起動するまでの動作を図１乃至図１３を用いて説明する。
【００１６】
図１は本発明の光ディスク記録・再生装置の構成例を図示したものである。光ディスク１はＣＤ、ＤＶＤ、ＢＤ、ＨＤ ＤＶＤなどであり、モータ２により回転される。
【００１７】
サーボ手段３はモータ２の回転速度制御及び光ピックアップ４の位置及びフォーカスの制御を行う。光ピックアップ４は図示しないレーザ出力手段、及び対物レンズを有し、サーボ手段３により位置及びフォーカス制御を受け、また、レーザ駆動手段５によりレーザ出力制御を受けながら、レーザ出力手段から対物レンズを介して光ディスクにレーザを照射する。また、光ピックアップ４は、再生時にはレーザの反射光から得た再生信号をアナログ信号処理手段６へ出力する。
【００１８】
レーザ駆動手段５は、制御手段１４により、再生時にはレーザの反射光から正常に電気信号を得られるように出力制御を受けながら光ピックアップ４が有するレーザ出力手段を駆動し、記録時には、記録するデータに応じて、正常に光ピックアップ４が光ディスク１に記録できるようにレーザ出力手段を駆動する。
【００１９】
アナログ信号処理手段６は、再生時に光ピックアップ４から出力された再生信号の増幅やノイズ除去などのアナログ信号処理を行い、ＲＦ（Ｒａｄｉｏ Ｆｒｅｑｕｅｎｃｙ）信号としてＰＬＬ７に出力する。
【００２０】
ＰＬＬ７は、該ＲＦ信号からチャネルクロックを生成し、ディジタル信号処理手段８やＣＤ復調手段９、ＤＶＤ復調手段１０、ＢＤ復調手段１１、ＨＤ ＤＶＤ復調手段１２などに必要に応じて該チャネルクロックを供給するとともに、該チャネルクロックで該ＲＦ信号のサンプリングを行い、ＲＦサンプル信号をディジタル信号処理手段８に出力する。
【００２１】
ディジタル信号処理手段８は、該ＲＦサンプル信号から２値データ信号を生成し、ＣＤ復調手段９やＤＶＤ復調手段１０、ＢＤ復調手段１１、及びＨＤ ＤＶＤ復調手段１２に出力する。該２値データ信号は、再生する光ディスク１の種類に応じて、ＣＤ復調手段９またはＤＶＤ復調手段１０またはＢＤ復調手段１１またはＨＤ ＤＶＤ復調手段１２が復調し、ユーザデータを生成し、ホストインタフェース手段１３に出力する。
【００２２】
該ホストインタフェース手段１３は、ホストからのコマンドに応じて該ユーザデータをホストへ出力する。
【００２３】
制御手段１４は光ディスク再生装置の各手段の制御を行い、ユーザインタフェース手段１５やホストインタフェース手段１３からの要求に応じて各手段の設定を行う。
【００２４】
ユーザインタフェース手段１５は、ユーザが装置に対して設定を行うためのスイッチやボタンなどのスイッチ手段を有し、ユーザが設定した情報を該制御手段１４へ出力を行い、また該制御手段１４が出力する、装置の状態や光ディスク１の判別結果などを示す情報をＬＥＤランプや液晶パネルなどの表示手段に表示を行う。
【００２５】
不揮発性メモリ手段１６は、該制御手段１４により読み書きされ、後述の誤判定頻度リストまたは判定頻度リストまたは判定メディアログなどの光ディスク判別結果情報を保持する。
【００２６】
また、図１３は、装置の前面の概観図を示す。該図に示されるように、光ディスク記録・再生装置は、ユーザインタフェース手段１５のボタンやスイッチ、ＬＥＤを装置の前面に備えている。トレー１５０１は光ディスク１を出し入れするためのトレーであり、後述の各種開閉ボタンによりトレーが装置から出し入れされる。ＢＤ用ＬＥＤ１５０２は、ＢＤのデータ読み出しまたは書き込み中に点灯するＬＥＤであり、ＨＤ ＤＶＤ用ＬＥＤ１５０３は、ＨＤ ＤＶＤのデータ読み出しまたは書き込み中に点灯するＬＥＤであり、ＤＶＤ用ＬＥＤ１５０４は、ＤＶＤのデータ読み出しまたは書き込み中に点灯するＬＥＤであり、ＣＤ用ＬＥＤ１５０５は、ＣＤのデータ読み出しまたは書き込み中に点灯するＬＥＤである。ＢＤボタン１５０６、ＨＤ ＤＶＤボタン１５０７、ＤＶＤボタン１５０８、及びＣＤボタン１５０９は、それぞれユーザがＢＤ、ＨＤ ＤＶＤ、ＤＶＤ、及びＣＤを光ディスク記録・再生装置に出し入れする際にトレー１５０１を開閉するためのボタンである。Autoボタン１５１０は、ユーザが光ディスク１の種類を判別できないときや、光ディスク記録・再生装置が多少光ディスク判別に要する時間がかかっても良いとユーザが判断したときに、光ディスク１を光ディスク記録・再生装置に出し入れする際にトレー１５０１を開閉するためのボタンである。これらのボタンを利用することにより、ユーザは、媒体の種類を指定ないし選択することができる。しかし、必ずしもボタンを複数個備える必要は無く、他の構成によって、ユーザが媒体の種類の指定する構成としてもよい。
【００２７】
以下、図２乃至図１２は実施例１での動作フローを用いて、実施例１の光ディスク記録・再生装置における光ディスクの判別手順について説明する。
【００２８】
まず、ユーザは、処理Ｆ０００１において、開閉ボタンを押下する。ユーザがいずれかの開閉ボタンを押下したら、処理Ｆ０００２に進む。
【００２９】
処理Ｆ０００２では、ユーザインタフェース手段１５はユーザが押下したボタンがAutoボタン１５１０かどうか判定する。判定の結果、ユーザがAutoボタン１５１０を押下したのであればユーザインタフェース手段１５は制御手段１４にＡｕｔｏボタン１５１０を押下されたことを通知し、図３の処理に移る。Autoボタン１５１０でなければ、処理Ｆ０００３に進む。
【００３０】
処理Ｆ０００３では、ユーザインタフェース手段１５はユーザが押下したボタンがＢＤボタン１５０６かどうか判定する。判定の結果、ユーザがＢＤボタン１５０６を押下したのであればユーザインタフェース手段１５は制御手段１４にＢＤボタン１５０６を押下されたことを通知し、図８の処理に移る。ＢＤボタン１５０６でなければ、処理Ｆ０００４に進む。
【００３１】
処理Ｆ０００４では、ユーザインタフェース手段１５はユーザが押下したボタンがＨＤ ＤＶＤボタン１５０７かどうか判定する。判定の結果、ユーザがＨＤ ＤＶＤボタン１５０７を押下したのであればユーザインタフェース手段１５は制御手段１４にＨＤ ＤＶＤボタン１５０７を押下されたことを通知し、図９の処理に移る。ＨＤ ＤＶＤボタン１５０７でなければ、処理Ｆ０００５に進む。
【００３２】
処理Ｆ０００５では、ユーザインタフェース手段１５はユーザが押下したボタンがＤＶＤボタン１５０８かどうか判定する。判定の結果、ユーザがＤＶＤボタン１５０８を押下したのであればユーザインタフェース手段１５は制御手段１４にＤＶＤボタン１５０８を押下されたことを通知し、図１０の処理に移る。ＤＶＤボタン１５０８でなければ、図１１の処理に移る。
【００３３】
ユーザがＡｕｔｏボタン１５１０を押下したのであれば、制御手段１４は図３の処理Ｆ０１０１で光ディスク１が挿入されたかどうか判定する。つまり、制御手段１４は例えばユーザインタフェース手段１５が通知するＢＤボタン１５０６、ＨＤ ＤＶＤボタン１５０７、ＤＶＤボタン１５０８、ＣＤボタン１５０９、及びＡｕｔｏボタン１５１０の押下情報によりトレー１５０１の開閉状態を管理しておき、トレー１５０１が開いていた状態でユーザがＡｕｔｏボタン１５１０を押下した場合は、制御手段１４はユーザインタフェース手段１５にトレー１５０１を閉じるよう制御を行い、トレー１５０１に光ディスク１があるかどうか判定する。光ディスク１があるかどうかの判定は、例えば制御手段１４がレーザ駆動手段５にレーザを駆動するよう制御し、レーザ駆動手段５は光ピックアップ４内のレーザ出力手段を駆動してレーザを照射し、反射光がなく、光ピックアップ４が前記再生信号を出力しなければ光ディスク１が存在しないなどとすることで判定を行う。判定の結果光ディスク１があれば、処理Ｆ０１０２に進み、光ディスク１がなければ、ユーザまたはホストから何らかの動作があるまで待機状態となる。トレー１５０１が閉じていた状態でユーザがＡｕｔｏボタン１５１０を押下した場合は、制御手段１４はユーザインタフェース手段１５にトレー１５０１を開くよう制御し、ユーザまたはホストから何らかの動作があるまで待機状態となる。
【００３４】
処理Ｆ０１０２では、制御手段１４は光ディスク１がＢＤかどうかを判定する。判定では、例えば制御手段１４はレーザ駆動手段５に対してレーザ出力手段を駆動するよう制御し、レーザ駆動手段５は光ピックアップ４内のレーザ出力手段を駆動してレーザを光ディスク１に照射し、その前記再生信号からアナログ信号処理手段６が前記ＲＦ信号を生成し、ＰＬＬ７により前記ＲＦ信号から生成したチャネルクロックと前記ＲＦサンプル信号からディジタル信号処理手段８で前記２値データ信号を生成し、ＢＤ復調手段１１で復調したユーザデータと、ＢＤ規格のデータ形式と整合するかどうか制御手段１４が判定を行い、整合すればＢＤであると判定し図４の処理に移る。整合しなければＢＤでないと判定し、処理Ｆ０１０３に進む。
【００３５】
処理Ｆ０１０３では、制御手段１４は光ディスク１がＨＤ ＤＶＤかどうかを判定する。判定では、例えば制御手段１４はレーザ駆動手段５に対してレーザ出力手段を駆動するよう制御し、ディジタル信号処理手段８で２値データ信号を生成するところまでは処理Ｆ０１０２と同様に行い、ＨＤ ＤＶＤ復調手段１２で復調したユーザデータと、ＨＤ ＤＶＤ規格のデータ形式と整合するかどうか制御手段１４が判定を行い、整合すればＨＤ ＤＶＤであると判定し図５の処理に移る。整合しなければＨＤ ＤＶＤでないと判定し、処理Ｆ０１０４に進む。
【００３６】
処理Ｆ０１０４では、制御手段１４は光ディスク１がＤＶＤかどうかを判定する。判定では、例えば制御手段１４はレーザ駆動手段５に対してレーザ出力手段を駆動するよう制御し、ディジタル信号処理手段８で２値データ信号を生成するところまでは処理Ｆ０１０２と同様に行い、ＤＶＤ復調手段１０で復調したユーザデータと、ＤＶＤ規格のデータ形式と整合するかどうか制御手段１４が判定を行い、整合すればＤＶＤであると判定し図６の処理に移る。整合しなければＤＶＤでないと判定し、処理Ｆ０１０５に進む。
【００３７】
処理Ｆ０１０５では、制御手段１４は光ディスク１がＣＤかどうかを判定する。判定では、例えば制御手段１４はレーザ駆動手段５に対してレーザ出力手段を駆動するよう制御し、ディジタル信号処理手段８で２値データ信号を生成するところまでは処理Ｆ０１０２と同様に行い、ＣＤ復調手段９で復調したユーザデータと、ＣＤ規格のデータ形式と整合するかどうか制御手段１４が判定を行い、整合すればＣＤであると判定し図７の処理に移る。整合しなければＣＤでないと判定し、処理Ｆ０１０６に進む。
【００３８】
処理Ｆ０１０６では、装着された光ディスク１が、装置が対応する光ディスクのいずれとも整合しないので記録または再生が不可能であるため、制御手段１４はユーザインタフェース手段１５にトレー１５０１を開くよう制御して光ディスク１を排出し、ユーザまたはホストから何らかの動作があるまで待機状態となる。
【００３９】
次に、装着されたディスク１がＢＤである場合の処理を図４のフローチャートを用いて説明する。
【００４０】
装着された光ディスク１がＢＤであると判定したら、制御手段１４は図４の処理Ｆ０２０１でＢＤ−ＲＯＭ、ＢＤ−Ｒ、またはＢＤ−ＲＥのいずれであるかを判別し、記録または再生に必要な光ディスクパラメータを取得する。ＢＤ−ＲＯＭ、ＢＤ−Ｒ、またはＢＤ−ＲＥの判別は、前記ＢＤ復調手段１１で復調したユーザデータと、ＢＤ−ＲＯＭ、ＢＤ−Ｒ、またはＢＤ−ＲＥのいずれかの規格のデータ形式との整合するかどうか制御手段１４が判定を行う。光ディスクパラメータは、例えばＢＤ復調手段１１で復調したユーザデータから取得するパラメータや、レーザの照射を調節しながら取得するパラメータである。複数層の記録膜で形成する光ディスク規格が存在するものについては本処理で層数も取得する。制御手段１４が必要な光ディスクパラメータを取得したら、処理Ｆ０２０２に進む。
【００４１】
処理Ｆ０２０２では、制御手段１４が処理Ｆ０２０１で取得した光ディスクパラメータが正常かどうか判定する。光ディスクパラメータが正常でない場合、または、ＢＤ−ＲＯＭ、ＢＤ−Ｒ、またはＢＤ−ＲＥのいずれにも判別できなかった場合は処理Ｆ０２０３に進む。光ディスクパラメータが正常の場合は、ユーザまたはホストから何らかの動作があるまで待機状態となる。
【００４２】
処理Ｆ０２０３では、装着されたＢＤにパラメータなどの異常があり、記録または再生が不可能であるため、制御手段１４はユーザインタフェース手段１５にトレー１５０１を開くよう制御し、光ディスク１を排出し、ユーザまたはホストから何らかの動作があるまで待機状態となる。
【００４３】
次に、装着された光ディスクがＨＤ  ＤＶＤである場合の制御を、図５のフローチャートを用いて説明する。
【００４４】
装着された光ディスク１がＨＤ ＤＶＤであると判定したら、制御手段１４は図５の処理Ｆ０３０１でＨＤ ＤＶＤ−ＲＯＭ、ＨＤ ＤＶＤ−Ｒ、ＨＤ ＤＶＤ−ＲＷまたはＨＤ ＤＶＤ−ＲＡＭのいずれであるかを判別し、記録または再生に必要な光ディスクパラメータを取得する。ＨＤ ＤＶＤ−ＲＯＭ、ＨＤ ＤＶＤ−Ｒ、ＨＤ ＤＶＤ−ＲＷまたはＨＤ ＤＶＤ−ＲＡＭの判別は、ＨＤ ＤＶＤ復調手段１２で復調したユーザデータと、ＨＤ ＤＶＤ−ＲＯＭ、ＨＤ ＤＶＤ−Ｒ、ＨＤ ＤＶＤ−ＲＷまたはＨＤ ＤＶＤ−ＲＡＭのいずれかの規格のデータ形式との整合するかどうか制御手段１４が判定を行う。光ディスクパラメータは、例えばＨＤ ＤＶＤから読み出したデータから取得するパラメータや、レーザの照射を調節しながら取得するパラメータである。複数層の記録膜で形成する光ディスク規格が存在するものについては本処理で層数も取得する。制御手段１４が必要な光ディスクパラメータを取得したら、処理Ｆ０３０２に進む。
【００４５】
処理Ｆ０３０２では、制御手段１４が処理Ｆ０３０１で取得した光ディスクパラメータが正常かどうか判定する。光ディスクパラメータが正常でない場合、または、ＨＤ ＤＶＤ−ＲＯＭ、ＨＤ ＤＶＤ−Ｒ、ＨＤ ＤＶＤ−ＲＷまたはＨＤ ＤＶＤ−ＲＡＭのいずれにも判別できなかった場合は処理Ｆ０３０３に進む。パラメータが正常の場合は、ユーザまたはホストから何らかの動作があるまで待機状態となる。
【００４６】
処理Ｆ０３０３では、装着されたＨＤ ＤＶＤにパラメータなどの異常があり、記録または再生が不可能であるため、制御手段１４はユーザインタフェース手段１５にトレー１５０１を開くよう制御し、光ディスク１を排出し、ユーザまたはホストから何らかの動作があるまで待機状態となる。
【００４７】
次に、装着された光ディスクがＤＶＤである場合の制御を、図６のフローチャートを用いて説明する。
【００４８】
装着された光ディスク１がＤＶＤであると判定したら、制御手段１４は図６の処理Ｆ０４０１でＤＶＤ−ＲＯＭ、ＤＶＤ−Ｒ、ＤＶＤ−ＲＷ、ＤＶＤ−ＲＡＭ、ＤＶＤ＋Ｒ、またはＤＶＤ＋ＲＷのいずれであるかを判別し、記録または再生に必要な光ディスクパラメータを取得する。ＤＶＤ−ＲＯＭ、ＤＶＤ−Ｒ、ＤＶＤ−ＲＷ、ＤＶＤ−ＲＡＭ、ＤＶＤ＋Ｒ、またはＤＶＤ＋ＲＷの判別は、ＤＶＤ復調手段１０で復調したユーザデータと、ＤＶＤ−ＲＯＭ、ＤＶＤ−Ｒ、ＤＶＤ−ＲＷ、ＤＶＤ−ＲＡＭ、ＤＶＤ＋Ｒ、またはＤＶＤ＋ＲＷのいずれかの規格のデータ形式との整合するかどうか制御手段１４が判定を行う。光ディスクパラメータは、例えばＤＶＤから読み出したデータから取得するパラメータや、レーザの照射を調節しながら取得するパラメータである。複数層の記録膜で形成する光ディスク規格が存在するものについては本処理で層数も取得する。制御手段１４が必要な光ディスクパラメータを取得したら、処理Ｆ０４０２に進む。
【００４９】
処理Ｆ０４０２では、制御手段１４が処理Ｆ０４０１で取得した光ディスクパラメータが正常かどうか判定する。パラメータが正常でない場合、または、ＤＶＤ−ＲＯＭ、ＤＶＤ−Ｒ、ＤＶＤ−ＲＷ、ＤＶＤ−ＲＡＭ、ＤＶＤ＋Ｒ、またはＤＶＤ＋ＲＷのいずれにも判別できなかった場合は処理Ｆ０４０３に進む。パラメータが正常の場合は、ユーザまたはホストから何らかの動作があるまで待機状態となる。
【００５０】
処理Ｆ０４０３では、装着されたＤＶＤにパラメータなどの異常があり、記録または再生が不可能であるため、制御手段１４はユーザインタフェース手段１５にトレー１５０１を開くよう制御し、光ディスク１を排出し、ユーザまたはホストから何らかの動作があるまで待機状態となる。
【００５１】
次に、装着された光ディスクがＣＤである場合の制御を、図７のフローチャートを用いて説明する。
【００５２】
装着された光ディスク１がＣＤであると判定したら、制御手段１４は図７の処理Ｆ０５０１でＣＤ−ＲＯＭ、ＣＤ−Ｒ、またはＣＤ−ＲＷのいずれであるかを判別し、記録または再生に必要な光ディスクパラメータを取得する。ＣＤ−ＲＯＭ、ＣＤ−Ｒ、またはＣＤ−ＲＷの判別は、ＣＤ復調手段９で復調したユーザデータと、ＣＤ−ＲＯＭ、ＣＤ−Ｒ、またはＣＤ−ＲＷのいずれかの規格のデータ形式との整合するかどうか制御手段１４が判定を行う。光ディスクパラメータは、例えばＣＤから読み出したデータから取得するパラメータや、レーザの照射を調節しながら取得するパラメータである。複数層の記録膜で形成する光ディスク規格が存在するものについては本処理で層数も取得する。制御手段１４は必要な光ディスクパラメータを取得したら、処理Ｆ０５０２に進む。
【００５３】
処理Ｆ０５０２では、制御手段１４が処理Ｆ０５０１で取得した光ディスクパラメータが正常かどうか判定する。パラメータが正常でない場合、または、ＣＤ−ＲＯＭ、ＣＤ−Ｒ、またはＣＤ−ＲＷのいずれにも判別できなかった場合は処理Ｆ０５０３に進む。パラメータが正常の場合は、ユーザまたはホストから何らかの動作があるまで待機状態となる。
【００５４】
処理Ｆ０５０３では、装着されたＣＤにパラメータなどの異常があり、記録または再生が不可能であるため、制御手段１４はユーザインタフェース手段１５にトレー１５０１を開くよう制御し、光ディスク１を排出し、ユーザまたはホストから何らかの動作があるまで待機状態となる。
【００５５】
次に、図２のＦ０００３においてＹＥＳである場合、つまりユーザがＢＤボタン１５０６を押下した場合の処理を、図８のフローチャートを用いて説明する。
【００５６】
ユーザがＢＤボタン１５０６を押下したのであれば、制御手段１４は図８の処理Ｆ０６０１で前記図３の処理Ｆ０１０１と同様にして光ディスク１が挿入されたかどうか判定する。トレー１５０１が開いていた状態でＢＤボタン１５０６を押下した場合は、トレー１５０１を閉じ、トレー１５０１上に光ディスク１があるかどうか判定し、判定の結果光ディスク１があれば、処理Ｆ０６０２に進み、光ディスク１がなければ、ユーザまたはホストから何らかの動作があるまで待機状態となる。トレー１５０１が閉じていた状態でＢＤボタン１５０６を押下した場合は、制御手段１４はユーザインタフェース手段１５にトレー１５０１を開くよう制御し、ユーザまたはホストから何らかの動作があるまで待機状態となる。
【００５７】
処理Ｆ０６０２では、制御手段１４は光ディスク１がＢＤかどうかを判定する。判定では、例えば前記図３の処理Ｆ０１０２と同様に行う。判定の結果、ＢＤであれば図４の処理に移る。ＢＤでなければ、ユーザが誤判定してＢＤボタン１５０６を押下したものとして処理Ｆ０６０３に進む。
【００５８】
処理Ｆ０６０３では、制御手段１４はユーザの誤判定が最初であるかどうか判定する。判定においては、例えば制御手段１４は不揮発性メモリ手段１６にメディア種別ごとに最初の誤判定かどうかを示すフラグデータを記録しておき、初期状態では全てのメディアのフラグデータをあらかじめ誤判定なしを示す値にセットしておき、ユーザによる最初の誤判定がなされたときに誤判定ありを示す値にセットする、という規則を設けておく。処理Ｆ０６０３において制御手段１４がこのフラグデータを読み出すことで判定を行う。この結果、最初の誤判定でなければ図１２の処理に移り、最初の誤判定であれば処理Ｆ０６０４に進む。
【００５９】
処理Ｆ０６０４では、制御手段１４は光ディスク１がＨＤ ＤＶＤかどうかを判定する。判定では、例えば前記図３の処理Ｆ０１０３と同様に行う。判定の結果、ＨＤ ＤＶＤであれば処理Ｆ０６０８に進む。ＨＤ ＤＶＤでなければ、処理Ｆ０６０５に進む。
【００６０】
処理Ｆ０６０５では、制御手段１４は光ディスク１がＤＶＤかどうかを判定する。判定では、例えば前記図３の処理Ｆ０１０４と同様に行う。判定の結果、ＤＶＤであれば処理Ｆ０６０９に進む。ＤＶＤでなければ、処理Ｆ０６０６に進む。
【００６１】
処理Ｆ０６０６では、制御手段１４は光ディスク１がＣＤかどうかを判定する。判定では、例えば前記図３の処理Ｆ０１０５と同様に行う。判定の結果、ＣＤであれば処理Ｆ０６１０に移る。ＣＤでなければ、処理Ｆ０６０７に進む。
【００６２】
処理Ｆ０６０７では、挿入された光ディスク１が、装置が対応する光ディスクのいずれとも整合しないので記録または再生が不可能であるため、制御手段１４はユーザインタフェース手段１５にトレー１５０１を開くよう制御して光ディスク１を排出し、ユーザまたはホストから何らかの動作があるまで待機状態となる。
【００６３】
処理Ｆ０６０８、Ｆ０６０９、及びＦ０６１０では、制御手段１４が誤判定頻度リストの更新を行う。誤判定頻度リストとは、ユーザがＢＤボタン１５０６、ＨＤ ＤＶＤボタン１５０７、ＤＶＤボタン１５０８、またはＣＤボタン１５０９のどれを押下し、さらにそのボタンによる指示が誤りだったと判定される場合に、実際に装着されていたメディアの頻度を示すデータである。つまり、誤判定頻度リストとは、ユーザによる媒体の指定が間違いだった場合に、どのメディアと間違えたかの頻度を示すデータであり、制御手段１４が不揮発性メモリ手段１６に記録するデータである。
【００６４】
図１４は誤判定頻度リストの一例を示したものである。図１４では、ユーザが誤判定した場合に実際に装着されていたメディアの種別を示す８ｂｉｔのデータと、その誤判定頻度（回数）を示す２４ｂｉｔのデータで１つのメンバデータを構成している。光ディスク記録・再生装置が対応する光ディスクの種類をｎ種類としたときそれぞれについてｎ−１個のメンバデータを記録するので、合計ｎ×（ｎ−１）個のメンバデータが存在する。
【００６５】
また、本実施例では対応するメディアの種類をＢＤ、ＨＤ ＤＶＤ、ＤＶＤ、ＣＤの４種類としており、図１４はあるユーザが誤って選択した１種類のメディアについての誤判定頻度リストの一例を示している。図１４の例では、メモリアドレス値が小さいほうから順に誤判定頻度の高い順にメンバデータを並べ替えた状態で不揮発性メモリ手段１６に記録している状態を示している。図１４が、例えば、ユーザが誤ってＢＤメディアを選択した場合のリストとすると、該リストのメンバデータは、それぞれ光ディスク記録再生装置が、装着された記録媒体が、ＨＤ−ＤＶＤ、ＤＶＤ、ＣＤと判定した頻度を示す。処理Ｆ０６０８、Ｆ０６０９、及びＦ０６１０の各処理では、制御手段１４はＢＤボタン１５０６を押下したときについての誤判定頻度リストにおいて、それぞれＨＤ ＤＶＤ、ＤＶＤ、及びＣＤについての誤判定メディア種別における誤判定頻度の値を更新し、更新後の値についてメモリアドレス値が小さいほうから順に誤判定頻度の多い順にメンバデータを並べ替えて、不揮発性メモリ手段１６に再記録する。処理Ｆ０６０８、Ｆ０６０９、及びＦ０６１０において誤判定頻度リストの更新を行ったら、それぞれ図５、６、及び７の処理に移る。
【００６６】
なお、本実施例では誤判定頻度リストのメンバデータに誤判定メディア種別のデータ領域を設け、不揮発性メモリ手段１６に誤判定頻度の多さに応じてソートするとしたが、図１５のようにメンバデータを誤判定頻度のみで構成し、メモリアドレスと誤判定メディア種別をあらかじめ対応付けて管理しても良い。また、図１４、１５の例では、ユーザが誤判定した媒体毎に、誤判定頻度リストを記憶する構成としたが、複数の誤判定頻度リストをまとめて１つのリストとして記憶する構成としてもよい。また、リストの形式に限らず、ユーザが誤って選択した媒体の種別と、実際に記録再生装置が判定した媒体の判定頻度とを対応させて記憶させる構成であればよい。
【００６７】
また、本実施例では、メモリアドレス値が小さいほうから順に誤判定頻度の高い順にメンバデータを並べ替えた状態で不揮発性メモリ手段１６に記録している、としたが、メモリアドレス値が小さいほうから順に誤判定頻度の少ない順にメンバデータを並べ替えても良いし、また、誤判定頻度の順番があらかじめメモリアドレス値と対応させてメンバデータを並べ替えた状態で不揮発性メモリ手段１６に記録しても良い。
【００６８】
次に、図２のＦ０００４においてＹＥＳである場合、つまりユーザがＨＤ  ＤＶＤボタン１５０７を押下した場合の処理を、図９のフローチャートを用いて説明する。
【００６９】
ユーザがＨＤ ＤＶＤボタン１５０７を押下したのであれば、制御手段１４は図９の処理Ｆ０７０１で前記図３の処理Ｆ０１０１と同様にして光ディスク１が装着されたかどうか判定する。トレー１５０１が開いていた状態でＨＤ ＤＶＤボタン１５０７を押下した場合は、トレー１５０１を閉じ、トレー上に光ディスク１があるかどうか判定し、判定の結果光ディスク１があれば、処理Ｆ０７０２に進み、光ディスク１がなければ、ユーザまたはホストから何らかの動作があるまで待機状態となる。トレー１５０１が閉じていた状態でＨＤ ＤＶＤボタン１５０７を押下した場合は、制御手段１４はユーザインタフェース手段１５にトレー１５０１を開くよう制御し、ユーザまたはホストから何らかの動作があるまで待機状態となる。
【００７０】
処理Ｆ０７０２では、制御手段１４は光ディスク１がＨＤ ＤＶＤかどうかを判定する。判定では、例えば前記図３の処理Ｆ０１０３と同様に行う。判定の結果、ＨＤ ＤＶＤであれば前記図５の処理に移る。ＨＤ ＤＶＤでなければ、ユーザが誤判定してＨＤ ＤＶＤボタン１５０７を押下したものとして処理Ｆ０７０３に進む。
【００７１】
処理Ｆ０７０３では、制御手段１４はユーザの誤判定が最初であるかどうか判定する。判定においては、例えば前記図８の処理Ｆ０６０３と同様に行う。この結果、最初の誤判定でなければ図１２の処理に移り、最初の誤判定であれば処理Ｆ０７０４に進む。
【００７２】
処理Ｆ０７０４では、制御手段１４は光ディスク１がＢＤかどうかを判定する。判定では、例えば前記図３の処理Ｆ０１０２と同様に行う。判定の結果、ＢＤであれば処理Ｆ０７０８に進む。ＢＤでなければ、処理Ｆ０７０５に進む。
【００７３】
処理Ｆ０７０５では、制御手段１４は光ディスク１がＤＶＤかどうかを判定する。判定では、例えば前記図３の処理Ｆ０１０４と同様に行う。判定の結果、ＤＶＤであれば処理Ｆ０７０９に進む。ＤＶＤでなければ、処理Ｆ０７０６に進む。
【００７４】
処理Ｆ０７０６では、制御手段１４は光ディスクがＣＤかどうかを判定する。判定では、例えば前記図３の処理Ｆ０１０５と同様に行う。判定の結果、ＣＤであれば処理Ｆ０７１０に移る。ＣＤでなければ、処理Ｆ０７０７に進む。
【００７５】
処理Ｆ０７０７では、装着された光ディスク１が、装置が対応する光ディスクのいずれとも整合しないので記録または再生が不可能であるため、制御手段１４はユーザインタフェース手段１５にトレー１５０１を開くよう制御してディスク１を排出し、ユーザまたはホストから何らかの動作があるまで待機状態となる。
【００７６】
処理Ｆ０７０８、Ｆ０７０９、及びＦ０７１０では、制御手段１４が誤判定頻度リストの更新を行う。誤判定頻度リストの更新は前記図８の処理Ｆ０６０８、Ｆ０６０９、及びＦ０６１０と同様であり、処理Ｆ０７０８、Ｆ０７０９、及びＦ０７１０の各処理では、ＨＤ ＤＶＤボタン１５０７を押下したときについての誤判定頻度リストにおいて、それぞれＢＤ、ＤＶＤ、及びＣＤについての誤判定メディア種別における誤判定頻度の値を更新する。処理Ｆ０７０８、Ｆ０７０９、及びＦ０７１０において誤判定頻度リストの更新を行ったら、それぞれ図４、６、及び７の処理に移る。
【００７７】
次に、図２のＦ０００５においてＹＥＳである場合、つまりユーザがＤＶＤボタン１５０８を押下した場合の処理を、図１０のフローチャートを用いて説明する。
【００７８】
ユーザがＤＶＤボタン１５０８を押下したのであれば、制御手段１４は図１０の処理Ｆ０８０１で前記図３の処理Ｆ０１０１と同様にして光ディスク１が装着されたかどうか判定する。トレー１５０１が開いていた状態でＤＶＤボタン１５０８を押下した場合は、トレー１５０１を閉じ、トレー上に光ディスク１があるかどうか判定し、判定の結果光ディスク１があれば、処理Ｆ０８０２に進み、光ディスク１がなければ、ユーザまたはホストから何らかの動作があるまで待機状態となる。トレー１５０１が閉じていた状態でＤＶＤボタン１５０８を押下した場合は、制御手段１４はユーザインタフェース手段１５にトレー１５０１を開くよう制御し、ユーザまたはホストから何らかの動作があるまで待機状態となる。
【００７９】
処理Ｆ０８０２では、制御手段１４は光ディスク１がＤＶＤかどうかを判定する。判定では、例えば前記図３の処理Ｆ０１０４と同様に行う。判定の結果、ＤＶＤであれば前記図６の処理に移る。ＤＶＤでなければ、ユーザが誤判定してＤＶＤボタン１５０８を押下したものとして処理Ｆ０８０３に進む。
【００８０】
処理Ｆ０８０３では、制御手段１４はユーザの誤判定が最初であるかどうか判定する。判定においては、例えば前記図８の処理Ｆ０６０３と同様に行う。判定の結果、最初の誤判定でなければ図１２の処理に移り、最初の誤判定であれば処理Ｆ０８０４に進む。
【００８１】
処理Ｆ０８０４では、制御手段１４は光ディスク１がＢＤかどうかを判定する。判定では、例えば前記図３の処理Ｆ０１０２と同様に行う。判定の結果、ＢＤであれば処理Ｆ０８０８に進む。ＢＤでなければ、処理Ｆ０８０５に進む。
【００８２】
処理Ｆ０８０５では、制御手段１４は光ディスク１がＨＤ ＤＶＤかどうかを判定する。判定では、例えば前記図３の処理Ｆ０１０３と同様に行う。判定の結果、ＨＤ ＤＶＤであれば処理Ｆ０８０９に進む。ＨＤ ＤＶＤでなければ、処理Ｆ０８０６に進む。
【００８３】
処理Ｆ０８０６では、制御手段１４は光ディスク１がＣＤかどうかを判定する。判定では、例えば前記図３の処理Ｆ０１０５と同様に行う。判定の結果、ＣＤであれば処理Ｆ０８１０に移る。ＣＤでなければ、処理Ｆ０８０７に進む。
【００８４】
処理Ｆ０８０７では、装着された光ディスク１が、装置が対応する光ディスクのいずれとも整合しないので記録または再生が不可能であるため、制御手段１４はユーザインタフェース手段１５にトレー１５０１を開くよう制御してディスク１を排出し、ユーザまたはホストから何らかの動作があるまで待機状態となる。
【００８５】
処理Ｆ０８０８、Ｆ０８０９、及びＦ０８１０では、制御手段１４は誤判定頻度リストの更新を行う。誤判定頻度リストの更新は前記図８の処理Ｆ０６０８、Ｆ０６０９、及びＦ０６１０と同様であり、処理Ｆ０８０８、Ｆ０８０９、及びＦ０８１０の各処理では、ＤＶＤボタン１５０８を押下したときについての誤判定頻度リストにおいて、それぞれＢＤ、ＨＤ ＤＶＤ、及びＣＤについての誤判定メディア種別における誤判定頻度の値を更新する。処理Ｆ０８０８、Ｆ０８０９、及びＦ０８１０において誤判定頻度リストの更新を行ったら、それぞれ図４、５、及び７の処理に移る。
【００８６】
次に、図２のＦ０００６においてＹＥＳである場合、つまりユーザがＣＤボタン１５０９を押下した場合の処理を、図１１のフローチャートを用いて説明する。
【００８７】
ユーザがＣＤボタン１５０９を押下したのであれば、制御手段１４は図１１の処理Ｆ０９０１で前記図３の処理Ｆ０１０１と同様にして光ディスク１が装着されたかどうか判定する。トレー１５０１が開いていた状態でＣＤボタン１５０９を押下した場合は、トレー１５０１を閉じ、トレー上に光ディスク１があるかどうか判定し、判定の結果光ディスク１があれば、処理Ｆ０９０２に進み、光ディスク１がなければ、ユーザまたはホストから何らかの動作があるまで待機状態となる。トレー１５０１が閉じていた状態でＣＤボタン１５０９を押下した場合は、制御手段１４はユーザインタフェース手段１５にトレー１５０１を開くよう制御し、ユーザまたはホストから何らかの動作があるまで待機状態となる。
【００８８】
処理Ｆ０９０２では、制御手段１４は光ディスク１がＣＤかどうかを判定する。判定では、例えば前記図３の処理Ｆ０１０５と同様に行う。判定の結果、ＣＤであれば前記図７の処理に移る。ＣＤでなければ、ユーザが誤判定してＣＤボタン１５０９を押下したものとして処理Ｆ０９０３に進む。
【００８９】
処理Ｆ０９０３では、制御手段１４はユーザの誤判定が最初であるかどうか判定する。判定においては、例えば前記図８の処理Ｆ０６０３と同様に行う。この結果、最初の誤判定でなければ図１２の処理に移り、最初の誤判定であれば処理Ｆ０９０４に進む。
【００９０】
処理Ｆ０９０４では、制御手段１４は光ディスク１がＢＤかどうかを判定する。判定では、例えば前記図３の処理Ｆ０１０２と同様に行う。判定の結果、ＢＤであれば処理Ｆ０９０８に進む。ＢＤでなければ、処理Ｆ０９０５に進む。
【００９１】
処理Ｆ０９０５では、制御手段１４は光ディスク１がＨＤ ＤＶＤかどうかを判定する。判定では、例えば前記図３の処理Ｆ０１０３と同様に行う。判定の結果、ＨＤ ＤＶＤであれば処理Ｆ０９０９に進む。ＨＤ ＤＶＤでなければ、処理Ｆ０９０６に進む。
【００９２】
処理Ｆ０９０６では、制御手段１４は光ディスクがＤＶＤかどうかを判定する。判定では、例えば前記図３の処理Ｆ０１０４と同様に行う。判定の結果、ＤＶＤであれば処理Ｆ０９１０に移る。ＤＶＤでなければ、処理Ｆ０９０７に進む。
【００９３】
処理Ｆ０９０７では、装着された光ディスク１が、装置が対応する光ディスクのいずれとも整合しないので記録または再生が不可能であるため、制御手段１４はユーザインタフェース手段１５にトレー１５０１を開くよう制御してディスク１を排出し、ユーザまたはホストから何らかの動作があるまで待機状態となる。
【００９４】
処理Ｆ０９０８、Ｆ０９０９、及びＦ０９１０では、制御手段１４は誤判定頻度リストの更新を行う。誤判定頻度リストの更新は前記の図８の処理Ｆ０６０８、Ｆ０６０９、及びＦ０６１０と同様であり、処理Ｆ０９０８、Ｆ０９０９、及びＦ０９１０の各処理では、ＣＤボタン１５０９を押下したときについての誤判定頻度リストにおいて、それぞれＢＤ、ＨＤ ＤＶＤ、及びＤＶＤについての誤判定メディア種別における誤判定頻度の値を更新する。処理Ｆ０９０８、Ｆ０９０９、及びＦ０９１０において誤判定頻度リストの更新を行ったら、それぞれ図４、５、及び６の処理に移る。
【００９５】
図１２は、図８の処理Ｆ０６０３、図９の処理Ｆ０７０３、図１０の処理Ｆ０８０３、及び図１１の処理Ｆ０９０３において、最初の誤判定でない場合の処理を示すフローチャートである。
【００９６】
最初の誤判定でなかった場合、制御手段１４は図１２の処理Ｆ１００１において前記誤判定頻度リストを不揮発性メモリ手段１６から読み出す。読み出す誤判定頻度リストは、図８の処理Ｆ０６０３ではＢＤボタン１５０６を押下したときについての誤判定頻度リストの全メンバデータ、図９の処理Ｆ０７０３ではＨＤ ＤＶＤボタン１５０７を押下したときについての誤判定頻度リストの全メンバデータ、図１０の処理Ｆ０８０３ではＤＶＤボタン１５０８を押下したときについての誤判定頻度リストの全メンバデータ、及び図１１の処理Ｆ０９０３ではＣＤボタン１５０９を押下したときについての誤判定頻度リストの全メンバデータを読み出す。誤判定頻度リストを読み出したら、処理Ｆ１００２に進む。
【００９７】
処理Ｆ１００２では、制御手段１４は誤判定頻度が最多であるメンバデータの誤判定メディア種別を参照する。本実施例においては、誤判定頻度が最多であるメンバデータは、メモリアドレス値が誤判定頻度リストの中で最も小さいところにあるメンバデータである。参照したメンバデータの誤判定メディア種別がＢＤであれば光ディスク１がＢＤかどうか判定する。判定では、例えば前記図３の処理Ｆ０１０２と同様に行う。判定の結果、ＢＤであれば処理Ｆ１００６に進む。ＢＤでなければ、処理Ｆ１００３に進む。または誤判定メディア種別がＨＤ ＤＶＤであれば光ディスク１がＨＤ ＤＶＤかどうか判定する。判定では、例えば前記図３の処理Ｆ０１０３と同様に行う。判定の結果、ＨＤ ＤＶＤであれば処理Ｆ１００６に進む。ＨＤ ＤＶＤでなければ、処理Ｆ１００３に進む。または誤判定メディア種別がＤＶＤであれば光ディスク１がＤＶＤかどうか判定する。判定では、例えば前記図３の処理Ｆ０１０４と同様に行う。判定の結果、ＤＶＤであれば処理Ｆ１００６に進む。ＤＶＤでなければ、処理Ｆ１００３に進む。または誤判定メディア種別がＣＤであれば光ディスク１がＣＤかどうか判定する。判定では、例えば前記図３の処理Ｆ０１０５と同様に行う。判定の結果、ＣＤであれば処理Ｆ１００６に進む。ＣＤでなければ、処理Ｆ１００３に進む。なお、誤判定頻度リスト中、複数種類の媒体の判定頻度の値が等しい場合がある。例えば、ＣＤとＤＶＤとの判定頻度が同一の値である場合がある。このような場合においては、制御手段１４は、任意の順番で、光ディスクの種類の判定を行う構成としてもよい。以下、各実施例において同様とする。
【００９８】
処理Ｆ１００３では、制御手段１４は誤判定頻度が２番目に最多であるメンバデータの誤判定メディア種別を参照する。本実施例においては、誤判定頻度が２番目に最多であるメンバデータは、処理Ｆ１００２で参照したメンバデータの次メモリアドレスのところにあるメンバデータである。参照したメンバデータの誤判定メディア種別に従い、Ｆ１００２と同様に処理し、判定の結果誤判定頻度が２番目に最多のメディアであれば処理Ｆ１００７に進む。そうでなければ、処理Ｆ１００４に進む。
【００９９】
処理Ｆ１００４では、制御手段１４は誤判定頻度が３番目に最多であるメンバデータの誤判定メディア種別を参照する。本実施例においては、誤判定頻度が３番目に最多であるメンバデータは、処理Ｆ１００３で参照したメンバデータの次メモリアドレスのところにあるメンバデータである。参照したメンバデータの誤判定メディア種別に従い、Ｆ１００２と同様に処理し、判定の結果誤判定頻度が３番目に最多のメディアであれば処理Ｆ１００８に進む。そうでなければ、処理Ｆ１００５に進む。
【０１００】
処理Ｆ１００５では、装着された光ディスク１が、装置が対応する光ディスクのいずれとも整合しないので記録または再生が不可能であるため、制御手段１４はユーザインタフェース手段１５にトレー１５０１を開くよう制御してディスク１を排出しディスク１を排出し、ユーザまたはホストから何らかの動作があるまで待機状態となる。
【０１０１】
本実施例では、対応する光ディスクをＢＤ、ＨＤ ＤＶＤ、ＤＶＤ、ＣＤの４種類としたので図１２の処理では誤判定頻度が３番目に最多であるメンバデータまでしか参照していないがこれに限定されるものでは無い。例えば、対応する光ディスクの種類が増えれば、それに応じてメンバデータを参照する処理が追加される。また、対応する光ディスクの種類が減れば、それに応じてメンバデータを参照する処理も削減される。
【０１０２】
処理Ｆ１００６、Ｆ１００７、及びＦ１００８では、制御手段１４は誤判定頻度リストの更新を行う。誤判定頻度リストの更新は前記図８の処理Ｆ０６０８、Ｆ０６０９、及びＦ０６１０と同様であり、ＢＤボタン１５０６を押下されて図１２の処理に移ってきた場合には、処理Ｆ１００６、Ｆ１００７、及びＦ１００８の各処理では、ＢＤボタン１５０６を押下したときについての誤判定頻度リストにおいて、それぞれ誤判定頻度が最多であるメンバデータ、２番目に最多であるメンバデータ、３番目に最多であるメンバデータについての誤判定頻度の値を更新する。ＨＤ ＤＶＤボタン１５０７を押下されて図１２の処理に移ってきた場合には、処理Ｆ１００６、Ｆ１００７、及びＦ１００８の各処理では、ＨＤ ＤＶＤボタン１５０７を押下したときについての誤判定頻度リストにおいて、ＢＤボタン１５０６を押下されて図１２の処理に移ってきた場合と同様に誤判定頻度の値を更新する。ＤＶＤボタン１５０８を押下されて図１２の処理に移ってきた場合には、処理Ｆ１００６、Ｆ１００７、及びＦ１００８の各処理では、ＤＶＤボタン１５０８を押下したときについての誤判定頻度リストにおいて、ＢＤボタン１５０６を押下されて図１２の処理に移ってきた場合と同様に誤判定頻度の値を更新する。ＣＤボタン１５０９を押下されて図１２の処理に移ってきた場合には、処理Ｆ１００６、Ｆ１００７、及びＦ１００８の各処理では、ＣＤボタン１５０９を押下したときについての誤判定頻度リストにおいて、ＢＤボタン１５０６を押下されて図１２の処理に移ってきた場合と同様に誤判定頻度の値を更新する。処理Ｆ１００６、Ｆ１００７、及びＦ１００８において誤判定頻度リストの更新を行ったら、判別したメディアの種類に従い、ＢＤであれば図４、ＨＤ ＤＶＤであれば図５、ＤＶＤであれば図６、及びＣＤであれば図７の処理に移る。
【０１０３】
以上のように、光ディスク記録・再生装置に、ユーザが光ディスクの種類を設定するスイッチを設け、かつユーザが前記スイッチにより設定した光ディスクの種類の情報、及び誤判定頻度リストに基づき光ディスク種別の判定を行い、不揮発性メモリ手段に誤判定頻度リストを更新及び保持する機能を有することで、ユーザが光ディスクの判別を間違った場合にも、装置の起動時間短縮が可能となる。
【０１０４】
また、本実施例では、ユーザが誤判定を行うと、図１４や図１５に示す誤判定頻度リストの誤判定頻度が更新されるので、頻度を示すカウント値が許す限り更新をおこなうが、過去のＭ回のユーザの誤判定頻度に基づいてメディアの判定の順番を決定しても良い。Ｍの値は、あらかじめ制御手段１４で定めておく。ただしＭの値は、ユーザインタフェース手段１５にダイヤルやスイッチなどを設けてＭの値をユーザが設定できるようにしておき、ユーザが光ディスク記録・再生装置を使用する前にＭの値を設定できるようにしても良いし、ホストインタフェース手段１３を通じて、ホストで動作しているアプリケーション上からコマンド等を使用してＭの値を設定できるようにしても良い。図３９は過去Ｍ回のユーザ誤判定時のメディア種別情報を不揮発性メモリ手段１６に記録したデータ(以下、誤判定メディアログと呼ぶ)の一例を示している。該誤判定メディアログは、8ｂｉｔの誤判定メディア種別をもち、ユーザの誤判定がなされたときに光ディスク記録・再生装置が判定したメディア種別を記録する。図３９の例は、不揮発性メモリ手段１６の一部をＦＩＦＯ(Ｆｉｒｓｔ Ｉｎ Ｆｉｒｓｔ Ｏｕｔ)として管理し、M回前の誤判定時のメディア種別が記録されているアドレスをポインタとして同様に不揮発性メモリ手段１６で記録する。新たにユーザが誤判定を行った際、ポインタが示すアドレス位置に今回の誤判定メディア種別を記録する。図３９の該誤判定メディアログは、光ディスク記録・再生装置が対応するメディアの種類の数だけ記録する。
【０１０５】
また、図２において、処理Ｆ０００２、Ｆ０００３、Ｆ０００４、及びＦ０００５の処理の順番は、入れ替わっても良い。
【０１０６】
また、図３において、処理Ｆ０１０２、Ｆ０１０３、Ｆ０１０４、及びＦ０１０５の処理の順番は、入れ替わっても良い。
【０１０７】
また、図８において、処理Ｆ０６０４、Ｆ０６０５、及びＦ０６０６の処理の順番は、入れ替わっても良い。
【０１０８】
また、図９において、処理Ｆ０７０４、Ｆ０７０５、及びＦ０７０６の処理の順番は、入れ替わっても良い。
また、図１０において、処理Ｆ０８０４、Ｆ０８０５、及びＦ０８０６の処理の順番は、入れ替わっても良い。
また、図１１において、処理Ｆ０９０４、Ｆ０９０５、及びＦ０９０６の処理の順番は、入れ替わっても良い。
【０１０９】
また、図１２の処理Ｆ１００１において、誤判定頻度リストの全メンバデータを読み出すとしたが、処理Ｆ１００１の代わりに処理Ｆ１００２では誤判定頻度が最多であるメンバデータのみを、処理Ｆ１００３では誤判定頻度が最多から２番目であるメンバデータのみを、処理Ｆ１００４では誤判定頻度が最多から３番目であるメンバデータのみを読み出しても良い。
【実施例２】
【０１１０】
次に、実施例２を説明する。本実施例では、実施例１と同様、記録または再生に対応する光ディスクをＣＤ、ＤＶＤ、ＢＤ、及びＨＤ ＤＶＤとした例とする。
【０１１１】
本実施例において、ユーザが光ディスクを装着してから光ディスク記録・再生装置が起動するまでの動作を図２１乃至図２９のフローチャートを用いて説明する。本実施例での光ディスク記録・再生装置の構成は図１と同様である。
【０１１２】
また、実施例２の動作と実施例１の動作と異なる点は、例えば以下の通りである。すなわち、実施例１では、ユーザがボタン等を用いて媒体の種別を選択した場合には、光ディスク記録・再生装置は、装着された光ディスクの種類が、まずユーザが選択した媒体かどうか判定する構成を採っていた。これに対して、実施例２においては、ユーザがボタン等を用いて媒体の種別を選択した場合に、その選択が正しい場合でも誤っている場合でも、光ディスク記録・再生装置は、過去の判定頻度を用いて光ディスクの媒体の種別を判定する。
【０１１３】
まず、実施例２の光ディスク記録・再生装置における光ディスクの判別手順について説明する。ユーザは、処理Ｆ１１０１において、開閉ボタンを押下する。本実施例における光ディスク記録・再生装置の前面の概観図の一例は図１３と同様である。ユーザがＢＤボタン１５０６、ＨＤ ＤＶＤボタン１５０７、ＤＶＤボタン１５０８、ＣＤボタン１５０９、またはＡｕｔｏボタン１５１０のいずれかの開閉ボタンを押下したら、処理Ｆ１１０２に進む。
【０１１４】
図２１において、まず光ディスク記録・再生装置は、ユーザが押下するボタンが何かの判定を行う。
【０１１５】
処理Ｆ１１０２では、ユーザインタフェース手段１５はユーザが押下したボタンがAutoボタン１５１０かどうか図２の処理Ｆ０００２と同様に判定する。判定の結果、ユーザがAutoボタン１５１０を押下したのであればユーザインタフェース手段１５は制御手段１４にＡｕｔｏボタン１５１０を押下されたことを通知し、前記図３の処理に移る。Autoボタン１５１０でなければ、処理Ｆ１１０３に進む。
【０１１６】
処理Ｆ１１０３では、ユーザインタフェース手段１５はユーザが押下したボタンがＢＤボタン１５０６かどうか図２の処理Ｆ０００３と同様に判定する。判定の結果、ユーザがＢＤボタン１５０６を押下したのであればユーザインタフェース手段１５は制御手段１４にＢＤボタン１５０６を押下されたことを通知し、図２２の処理に移る。ＢＤボタン１５０６でなければ、処理Ｆ１１０４に進む。
【０１１７】
処理Ｆ１１０４では、ユーザインタフェース手段１５はユーザが押下したボタンがＨＤ ＤＶＤボタン１５０７かどうか図２の処理Ｆ０００４と同様に判定する。判定の結果、ユーザがＨＤ ＤＶＤボタン１５０７を押下したのであればユーザインタフェース手段１５は制御手段１４にＨＤ ＤＶＤボタン１５０７を押下されたことを通知し、図２４の処理に移る。ＨＤ ＤＶＤボタン１５０７でなければ、処理Ｆ１１０５に進む。
【０１１８】
処理Ｆ１１０５では、ユーザインタフェース手段１５はユーザが押下したボタンがＤＶＤボタン１５０８かどうか図２の処理Ｆ０００５と同様に判定する。判定の結果、ユーザがＤＶＤボタン１５０８を押下したのであればユーザインタフェース手段１５は制御手段１４にＤＶＤボタン１５０８を押下されたことを通知し、図２６の処理に移る。ＤＶＤボタン１５０８でなければ、図２８の処理に移る。
【０１１９】
図２２は、Ｆ１１０３においてユーザがＢＤボタン１５０６を押下した場合の処理を示すフローチャートである。
【０１２０】
ユーザがＢＤボタン１５０６を押下したのであれば、制御手段１４は図２２の処理Ｆ１２０１で前記図３の処理Ｆ０１０１と同様にして光ディスク１が装着されたかどうか判定する。トレー１５０１が開いていた状態でＢＤボタン１５０６を押下した場合は、トレー１５０１を閉じ、トレー１５０１上に光ディスク１があるかどうか判定し、判定の結果光ディスク１があれば、処理Ｆ１２０２に進み、光ディスク１がなければ、ユーザまたはホストから何らかの動作があるまで待機状態となる。トレー１５０１が閉じていた状態でＢＤボタン１５０６を押下した場合は、制御手段１４はユーザインタフェース手段１５にトレー１５０１を開くよう制御し、ユーザまたはホストから何らかの動作があるまで待機状態となる。
【０１２１】
処理Ｆ１２０２では、制御手段１４はユーザのＢＤボタン１５０６押下が最初であるかどうか判定する。判定においては、例えば制御手段１４は不揮発性メモリ手段１６にボタン種別ごとに最初の押下かどうかを示すフラグデータを記録しておき、初期状態では全てのメディアのフラグデータをあらかじめ押下なしを示す値にセットしておき、ユーザによる最初の押下がなされたときに押下ありを示す値にセットする、という規則を設けておく。処理Ｆ１２０２において制御手段１４がこのフラグデータを読み出すことで判定を行う。この結果、最初の押下でなければ処理Ｆ１２０３に進み、最初の押下であれば後述の図２３の処理に移る。
【０１２２】
ユーザが最初にＢＤボタン１５０６を押下したのでなければ、制御手段１４は処理Ｆ１２０３において判定頻度リストを不揮発性メモリ手段１６からＢＤボタン１５０６を押下したときについての判定頻度リストの全メンバデータを読み出す。
【０１２３】
ここで、判定頻度リストは、ユーザがＢＤボタン１５０６、ＨＤ ＤＶＤボタン１５０７、ＤＶＤボタン１５０８、またはＣＤボタン１５０９のいずれかを押下したときに実際にはどのメディアを装着したかの頻度を示すデータであり、制御手段１４が不揮発性メモリ手段１６に記録するデータである。
【０１２４】
図３０は判定頻度リストの一例を示したものである。図３０では、判定メディア種別を示す８ｂｉｔのデータと判定頻度（回数）を示す２４ｂｉｔのデータでひとつのメンバデータを構成している。光ディスク記録・再生装置が対応する光ディスクの種類をｎ種類としたときそれぞれについてｎ個のメンバデータを記録するので、合計ｎ×ｎ個のメンバデータが存在する。本実施例では対応するメディアの種類をＢＤ、ＨＤ ＤＶＤ、ＤＶＤ、ＣＤの４種類としており、図３０はある１種類のメディアについての判定頻度リストの一例を示している。図３０の例では、メモリアドレス値が小さいほうから順に判定頻度の多い順にメンバデータを並べ替えた状態で不揮発性メモリ手段１６に記録している状態を示している。判定頻度リストを読み出したら、処理Ｆ１２０４に進む。
【０１２５】
なお、本実施例では判定頻度リストのメンバデータに判定メディア種別のデータ領域を設け、不揮発性メモリ手段１６に判定頻度に応じて並べ変えられているとしたが、図３１のようにメンバデータを判定頻度のみで構成し、メモリアドレスと判定メディア種別をあらかじめ対応付けて管理しても良い。
【０１２６】
また、本実施例では、メモリアドレス値が小さいほうから順に判定頻度の多い順にメンバデータを並べ替えた状態で不揮発性メモリ手段１６に記録している、としたが、メモリアドレス値が小さいほうから順に判定頻度の少ない順にメンバデータを並べ替えても良いし、また、判定頻度の順番があらかじめメモリアドレス値と対応させてメンバデータを並べ替えた状態で不揮発性メモリ手段１６に記録しても良い。
【０１２７】
処理Ｆ１２０４では、制御手段１４は判定頻度が最多であるメンバデータの判定メディア種別を参照する。本実施例においては、判定頻度が最多であるメンバデータは、メモリアドレス値が判定頻度リストの中で最も小さいところにあるメンバデータである。参照したメンバデータの判定メディア種別がＢＤであれば光ディスク１がＢＤかどうか判定する。判定では、例えば前記図３の処理Ｆ０１０２と同様に行う。判定の結果、ＢＤであれば処理Ｆ１２０９に進む。ＢＤでなければ、処理Ｆ１２０５に進む。または参照したメンバデータの判定メディア種別がＨＤ ＤＶＤであれば光ディスク１がＨＤ ＤＶＤかどうか判定する。判定では、例えば前記図３の処理Ｆ０１０３と同様に行う。判定の結果、ＨＤ ＤＶＤであれば処理Ｆ１２０９に進む。ＨＤ ＤＶＤでなければ、処理Ｆ１２０５に進む。または参照したメンバデータの判定メディア種別がＤＶＤであれば光ディスク１がＤＶＤかどうか判定する。判定では、例えば前記図３の処理Ｆ０１０４と同様に行う。判定の結果、ＤＶＤであれば処理Ｆ１２０９に進む。ＤＶＤでなければ、処理Ｆ１２０５に進む。または参照したメンバデータの判定メディア種別がＣＤであれば光ディスク１がＣＤかどうか判定する。判定では、例えば前記図３の処理Ｆ０１０５と同様に行う。判定の結果、ＣＤであれば処理Ｆ１２０９に進む。ＣＤでなければ、処理Ｆ１２０５に進む。
【０１２８】
処理Ｆ１２０５では、制御手段１４は判定頻度が２番目に最多であるメンバデータの判定メディア種別を参照する。本実施例においては、判定頻度が２番目に最多であるメンバデータは、処理Ｆ１２０４で参照したメンバデータの次メモリアドレスのところにあるメンバデータである。参照したメンバデータの判定メディア種別に従い、Ｆ１２０４と同様に処理し、判定の結果判定頻度が２番目に最多のメディアであれば処理Ｆ１２１０に進む。そうでなければ、処理Ｆ１２０６に進む。
【０１２９】
処理Ｆ１２０６では、制御手段１４は判定頻度が３番目に最多であるメンバデータの判定メディア種別を参照する。本実施例においては、判定頻度が３番目に最多であるメンバデータは、処理Ｆ１２０５で参照したメンバデータの次メモリアドレスのところにあるメンバデータである。参照したメンバデータの判定メディア種別に従い、Ｆ１２０４と同様に処理し、判定の結果判定頻度が３番目に最多のメディアであれば処理Ｆ１２１１に進む。そうでなければ、処理Ｆ１２０７に進む。
【０１３０】
処理Ｆ１２０７では、制御手段１４は判定頻度が４番目に最多であるメンバデータの判定メディア種別を参照する。本実施例においては、判定頻度が４番目に最多であるメンバデータは、処理Ｆ１２０６で参照したメンバデータの次メモリアドレスのところにあるメンバデータである。参照したメンバデータの判定メディア種別に従い、Ｆ１２０４と同様に処理し、判定の結果判定頻度が４番目に最多のメディアであれば処理Ｆ１２１２に進む。そうでなければ、処理Ｆ１２０８に進む。
【０１３１】
処理Ｆ１２０８では、挿入された光ディスク１が、装置が対応する光ディスクのいずれとも整合しないので記録または再生が不可能であるため、制御手段１４はユーザインタフェース手段１５にトレー１５０１を開くよう制御してディスク１を排出しディスク１を排出し、ユーザまたはホストから何らかの動作があるまで待機状態となる。
【０１３２】
処理Ｆ１２０９、Ｆ１２１０、Ｆ１２１１、及びＦ１２１２では、制御手段１４は判定頻度リストの更新を行う。判定頻度リストの更新は、ＢＤボタン１５０６を押下したときについての判定頻度リストにおいて、それぞれ判定頻度が最多であるメンバデータ、２番目に最多であるメンバデータ、３番目に最多であるメンバデータ、４番目に最多であるメンバデータについての判定頻度の値を更新する。処理Ｆ１２０９、Ｆ１２１０、Ｆ１２１１、及びＦ１２１２においてＢＤボタン１５０６を押下したときについての判定頻度リストの更新を行ったら、判別したメディアの種類に従い、ＢＤであれば前記図４、ＨＤ ＤＶＤであれば前記図５、ＤＶＤであれば前記図６、及びＣＤであれば前記図７の処理に移る。
【０１３３】
ユーザが最初にＢＤボタン１５０６を押下したのであれば、制御手段１４は図２３の処理Ｆ１３０１において光ディスク１がＢＤかどうかを前記図３の処理Ｆ０１０２と同様にして判定する。判定の結果、ＢＤであれば処理Ｆ１３０６においてＢＤボタン１５０６を押下したときについての判定頻度リストにおいて、ＢＤについての判定頻度の値を更新し、前記図４の処理に移る。ＢＤでなければ処理Ｆ１３０２に進む。
【０１３４】
処理Ｆ１３０２では、制御手段１４は光ディスク１がＨＤ ＤＶＤかどうかを前記図３の処理Ｆ０１０３と同様にして判定する。判定の結果、ＨＤ ＤＶＤであれば処理Ｆ１３０７においてＢＤボタン１５０６を押下したときについての判定頻度リストにおいて、ＨＤ ＤＶＤについての判定頻度の値を更新し、前記図５の処理に移る。ＨＤ ＤＶＤでなければ処理Ｆ１３０３に進む。
【０１３５】
処理Ｆ１３０３では、制御手段１４は光ディスク１がＤＶＤかどうかを前記図３の処理Ｆ０１０４と同様にして判定する。判定の結果、ＤＶＤであれば処理Ｆ１３０８においてＢＤボタン１５０６を押下したときについての判定頻度リストにおいて、ＤＶＤについての判定頻度の値を更新し、前記図６の処理に移る。ＤＶＤでなければ処理Ｆ１３０４に進む。
【０１３６】
処理Ｆ１３０４では、制御手段１４は光ディスク１がＣＤかどうかを前記図３の処理Ｆ０１０５と同様にして判定する。判定の結果、ＣＤであれば処理Ｆ１３０９においてＢＤボタン１５０６を押下したときについての判定頻度リストにおいて、ＣＤについての判定頻度の値を更新し、前記図７の処理に移る。ＣＤでなければ処理Ｆ１３０５に進む。
【０１３７】
処理Ｆ１３０５では、装着された光ディスク１が、装置が対応する光ディスクのいずれとも整合しないので記録または再生が不可能であるため、制御手段１４はユーザインタフェース手段１５にトレー１５０１を開くよう制御してディスク１を排出しディスク１を排出し、ユーザまたはホストから何らかの動作があるまで待機状態となる。
【０１３８】
図２４は、図２１のＦ１１０４において、ユーザがＨＤ  ＤＶＤボタン１５０７を押下した場合の処理を示すフローチャートである。
【０１３９】
ユーザがＨＤ ＤＶＤボタン１５０７を押下したのであれば、制御手段１４は図２４の処理Ｆ１４０１で前記図３の処理Ｆ０１０１と同様にして光ディスク１が装着されたかどうか判定する。トレー１５０１が開いていた状態でＨＤ ＤＶＤボタン１５０７を押下した場合は、トレー１５０１を閉じ、トレー１５０１上に光ディスク１があるかどうか判定し、判定の結果光ディスク１があれば、処理Ｆ１４０２に進み、光ディスク１がなければ、ユーザまたはホストから何らかの動作があるまで待機状態となる。トレー１５０１が閉じていた状態でＨＤ ＤＶＤボタン１５０７を押下した場合は、制御手段１４はユーザインタフェース手段１５にトレー１５０１を開くよう制御し、ユーザまたはホストから何らかの動作があるまで待機状態となる。
【０１４０】
処理Ｆ１４０２では、制御手段１４はユーザのＨＤ ＤＶＤボタン１５０７押下が最初であるかどうか判定する。判定においては、例えば図２２のＦ１２０２と同様にフラグデータを記録しておき、制御手段１４がこのフラグデータを読み出すことで判定を行う。この結果、最初の押下でなければ処理Ｆ１４０３に進み、最初の押下であれば後述の図２５の処理に移る。
【０１４１】
ユーザが最初にＨＤ ＤＶＤボタン１５０７を押下したのでなければ、制御手段１４は処理Ｆ１４０３において判定頻度リストを不揮発性メモリ手段１６からＨＤ ＤＶＤボタン１５０７を押下したときについての前記判定頻度リストの全メンバデータを読み出す。判定頻度リストを読み出したら、処理Ｆ１４０４に進む。
【０１４２】
処理Ｆ１４０４では、制御手段１４は判定頻度が最多であるメンバデータの判定メディア種別を図２２の処理Ｆ１２０４と同様に参照し、光ディスク１が判定頻度が最多であるメディアであれば処理Ｆ１４０９に進む。そうでなければ、処理Ｆ１４０５に進む。
【０１４３】
処理Ｆ１４０５では、制御手段１４は判定頻度が２番目に最多であるメンバデータの判定メディア種別を図２２の処理Ｆ１２０５と同様に参照し、光ディスク１が判定頻度が２番目に最多であるメディアであれば処理Ｆ１４１０に進む。そうでなければ、処理Ｆ１４０６に進む。
【０１４４】
処理Ｆ１４０６では、制御手段１４は判定頻度が３番目に最多であるメンバデータの判定メディア種別を図２２の処理Ｆ１２０６と同様に参照し、光ディスク１が判定頻度が３番目に最多であるメディアであれば処理Ｆ１４１１に進む。そうでなければ、処理Ｆ１４０７に進む。
【０１４５】
処理Ｆ１４０７では、制御手段１４は判定頻度が４番目に最多であるメンバデータの判定メディア種別を図２２の処理Ｆ１２０７と同様に参照し、光ディスク１が判定頻度が４番目に最多であるメディアであれば処理Ｆ１４１２に進む。そうでなければ、処理Ｆ１４０８に進む。
【０１４６】
処理Ｆ１４０８では、装着された光ディスク１が、装置が対応する光ディスクのいずれとも整合しないので記録または再生が不可能であるため、図２２の処理Ｆ１２０８と同様にディスク１を排出し、ユーザまたはホストから何らかの動作があるまで待機状態となる。
【０１４７】
処理Ｆ１４０９、Ｆ１４１０、Ｆ１４１１、及びＦ１４１２では、制御手段１４は判定頻度リストの更新を行う。判定頻度リストの更新は前記図２２の処理Ｆ１２０９、Ｆ１２１０、Ｆ１２１１、及びＦ１２１２と同様であり、処理Ｆ１４０９、Ｆ１４１０、Ｆ１４１１、及びＦ１４１２の各処理では、ＨＤ ＤＶＤボタン１５０７を押下したときについての判定頻度リストにおいて、それぞれ判定頻度が最多であるメンバデータ、２番目に最多であるメンバデータ、３番目に最多であるメンバデータ、４番目に最多であるメンバデータについての判定頻度の値を更新する。処理Ｆ１４０９、Ｆ１４１０、Ｆ１４１１、及びＦ１４１２においてＨＤ ＤＶＤについての判定頻度リストの更新を行ったら、判定したメディアの種類に従い、ＢＤであれば前記図４、ＨＤ ＤＶＤであれば前記図５、ＤＶＤであれば前記図６、及びＣＤであれば前記図７の処理に移る。
【０１４８】
ユーザが最初にＨＤ ＤＶＤボタン１５０７を押下したのであれば、制御手段１４は図２５の処理Ｆ１５０１において光ディスク１がＨＤ ＤＶＤかどうかを前記図３の処理Ｆ０１０３と同様にして判定する。判定の結果、ＨＤ ＤＶＤであれば処理Ｆ１５０６においてＨＤ ＤＶＤボタン１５０７を押下したときについての判定頻度リストにおいて、ＨＤ ＤＶＤについての判定頻度の値を更新し、前記図５の処理に移る。ＨＤ ＤＶＤでなければ処理Ｆ１５０２に進む。
【０１４９】
処理Ｆ１５０２では、制御手段１４は光ディスク１がＢＤかどうかを前記図３の処理Ｆ０１０２と同様にして判定する。判定の結果、ＢＤであれば処理Ｆ１５０７においてＨＤ ＤＶＤボタン１５０７を押下したときについての判定頻度リストにおいて、ＢＤについての判定頻度の値を更新し、前記図４の処理に移る。ＢＤでなければ処理Ｆ１５０３に進む。
【０１５０】
処理Ｆ１５０３では、制御手段１４は光ディスク１がＤＶＤかどうかを前記図３の処理Ｆ０１０４と同様にして判定する。判定の結果、ＤＶＤであれば処理Ｆ１５０８においてＨＤ ＤＶＤボタン１５０７を押下したときについての判定頻度リストにおいて、ＤＶＤについての判定頻度の値を更新し、前記図６の処理に移る。ＤＶＤでなければ処理Ｆ１５０４に進む。
【０１５１】
処理Ｆ１５０４では、制御手段１４は光ディスク１がＣＤかどうかを前記図３の処理Ｆ０１０５と同様にして判定する。判定の結果、ＣＤであれば処理Ｆ１５０９においてＨＤ ＤＶＤボタン１５０７を押下したときについての判定頻度リストにおいて、ＣＤについての判定頻度の値を更新し、前記図７の処理に移る。ＣＤでなければ処理Ｆ１５０５に進む。
【０１５２】
処理Ｆ１５０５では、装着された光ディスク１が、装置が対応する光ディスクのいずれとも整合しないので記録または再生が不可能であるため、制御手段１４はユーザインタフェース手段１５にトレー１５０１を開くよう制御してディスク１を排出し、ユーザまたはホストから何らかの動作があるまで待機状態となる。
【０１５３】
図２６は、図２１のＦ１１０５において、ユーザがＤＶＤボタン１５０８を押下した場合の処理を示すフローチャートである。
【０１５４】
ユーザがＤＶＤボタン１５０８を押下したのであれば、制御手段１４は図２６の処理Ｆ１６０１で前記図３の処理Ｆ０１０１と同様にして光ディスク１が装着されたかどうか判定する。トレー１５０１が開いていた状態でＤＶＤボタン１５０８を押下した場合は、トレー１５０１を閉じ、トレー１５０１上に光ディスク１があるかどうか判定し、判定の結果光ディスク１があれば、処理Ｆ１６０２に進み、光ディスク１がなければ、ユーザまたはホストから何らかの動作があるまで待機状態となる。トレー１５０１が閉じていた状態でＤＶＤボタン１５０８を押下した場合は、制御手段１４はユーザインタフェース手段１５にトレー１５０１を開くよう制御し、ユーザまたはホストから何らかの動作があるまで待機状態となる。
【０１５５】
処理Ｆ１６０２では、制御手段１４はユーザのＤＶＤボタン１５０８押下が最初であるかどうか判定する。判定においては、例えば図２２のＦ１２０２と同様にフラグデータを記録しておき、制御手段１４がこのフラグデータを読み出すことで判定を行う。この結果、最初の押下でなければ処理Ｆ１６０３に進み、最初の押下であれば後述の図２７の処理に移る。
【０１５６】
ユーザが最初にＤＶＤボタン１５０８を押下したのでなければ、制御手段１４は処理Ｆ１６０３において判定頻度リストを不揮発性メモリ手段１６からＤＶＤボタン１５０８を押下したときについての前記判定頻度リストの全メンバデータを読み出す。判定頻度リストを読み出したら、処理Ｆ１６０４に進む。
【０１５７】
処理Ｆ１６０４では、制御手段１４は判定頻度が最多であるメンバデータの判定メディア種別を図２２の処理Ｆ１２０４と同様に参照し、光ディスク１が判定頻度が最多であるメディアであれば処理Ｆ１６０９に進む。そうでなければ、処理Ｆ１６０５に進む。
【０１５８】
処理Ｆ１６０５では、制御手段１４は判定頻度が２番目に最多であるメンバデータの判定メディア種別を図２２の処理Ｆ１２０５と同様に参照し、光ディスク１が判定頻度が２番目に最多であるメディアであれば処理Ｆ１６１０に進む。そうでなければ、処理Ｆ１６０６に進む。
【０１５９】
処理Ｆ１６０６では、制御手段１４は判定頻度が３番目に最多であるメンバデータの判定メディア種別を図２２の処理Ｆ１２０６と同様に参照し、光ディスク１が判定頻度が３番目に最多であるメディアであれば処理Ｆ１６１１に進む。そうでなければ、処理Ｆ１６０７に進む。
【０１６０】
処理Ｆ１６０７では、制御手段１４は判定頻度が４番目に最多であるメンバデータの判定メディア種別を図２２の処理Ｆ１２０７と同様に参照し、光ディスク１が判定頻度が４番目に最多であるメディアであれば処理Ｆ１６１２に進む。そうでなければ、処理Ｆ１６０８に進む。
【０１６１】
処理Ｆ１６０８では、装着された光ディスク１が、装置が対応する光ディスクのいずれとも整合しないので記録または再生が不可能であるため、図２２の処理Ｆ１２０８と同様にディスク１を排出しディスク１を排出し、ユーザまたはホストから何らかの動作があるまで待機状態となる。
【０１６２】
処理Ｆ１６０９、Ｆ１６１０、Ｆ１６１１、及びＦ１６１２では、制御手段１４は判定頻度リストの更新を行う。判定頻度リストの更新は前記図２２の処理Ｆ１２０９、Ｆ１２１０、Ｆ１２１１、及びＦ１２１２と同様であり、処理Ｆ１６０９、Ｆ１６１０、Ｆ１６１１、及びＦ１６１２の各処理では、ＤＶＤボタン１５０８を押下したときについての判定頻度リストにおいて、それぞれ判定頻度が最多であるメンバデータ、２番目に最多であるメンバデータ、３番目に最多であるメンバデータ、４番目に最多であるメンバデータについての判定頻度の値を更新する。処理Ｆ１６０９、Ｆ１６１０、Ｆ１６１１、及びＦ１６１２においてＤＶＤボタン１５０８を押下したときについての判定頻度リストの更新を行ったら、判定したメディアの種類に従い、ＢＤであれば前記図４、ＨＤ ＤＶＤであれば前記図５、ＤＶＤであれば前記図６、及びＣＤであれば前記図７の処理に移る。
【０１６３】
ユーザが最初にＤＶＤボタン１５０８を押下したのであれば、制御手段１４は図２７の処理Ｆ１７０１において光ディスク１がＤＶＤかどうかを前記図３の処理Ｆ０１０４と同様にして判定する。判定の結果、ＤＶＤであれば処理Ｆ１７０６においてＤＶＤボタン１５０８を押下したときについての判定頻度リストにおいて、ＤＶＤについての判定頻度の値を更新し、前記図６の処理に移る。ＤＶＤでなければ処理Ｆ１７０２に進む。
【０１６４】
処理Ｆ１７０２では、制御手段１４は光ディスク１がＢＤかどうかを前記図３の処理Ｆ０１０２と同様にして判定する。判定の結果、ＢＤであれば処理Ｆ１７０７においてＤＶＤボタン１５０８を押下したときについての判定頻度リストにおいて、ＢＤについての判定頻度の値を更新し、前記図４の処理に移る。ＢＤでなければ処理Ｆ１７０３に進む。
【０１６５】
処理Ｆ１７０３では、制御手段１４は光ディスク１がＨＤ ＤＶＤかどうかを前記図３の処理Ｆ０１０３と同様にして判定する。判定の結果、ＨＤ ＤＶＤであれば処理Ｆ１７０８においてＤＶＤボタン１５０８を押下したときについての判定頻度リストにおいて、ＨＤ ＤＶＤについての判定頻度の値を更新し、前記図５の処理に移る。ＨＤ ＤＶＤでなければ処理Ｆ１７０４に進む。
【０１６６】
処理Ｆ１７０４では、制御手段１４は光ディスク１がＣＤかどうかを前記図３の処理Ｆ０１０５と同様にして判定する。判定の結果、ＣＤであれば処理Ｆ１７０９においてＤＶＤボタン１５０８を押下したときについての判定頻度リストにおいて、ＣＤについての判定頻度の値を更新し、前記図７の処理に移る。ＣＤでなければ処理Ｆ１７０５に進む。
【０１６７】
処理Ｆ１７０５では、装着された光ディスク１が、装置が対応する光ディスクのいずれとも整合しないので記録または再生が不可能であるため、制御手段１４はユーザインタフェース手段１５にトレー１５０１を開くよう制御してディスク１を排出しディスク１を排出し、ユーザまたはホストから何らかの動作があるまで待機状態となる。
【０１６８】
図２８は、図２１において、ユーザがＣＤボタン１５０９を押下した場合の処理を示すフローチャートである。
【０１６９】
ユーザがＣＤボタン１５０９を押下したのであれば、制御手段１４は図２８の処理Ｆ１８０１で前記図３の処理Ｆ０１０１と同様にして光ディスク１が装着されたかどうか判定する。トレー１５０１が開いていた状態でＣＤボタン１５０９を押下した場合は、トレー１５０１を閉じ、トレー１５０１上に光ディスク１があるかどうか判定し、判定の結果光ディスク１があれば、処理Ｆ１８０２に進み、光ディスク１がなければ、ユーザまたはホストから何らかの動作があるまで待機状態となる。トレー１５０１が閉じていた状態でＣＤボタン１５０９を押下した場合は、制御手段１４はユーザインタフェース手段１５にトレー１５０１を開くよう制御し、ユーザまたはホストから何らかの動作があるまで待機状態となる。
【０１７０】
処理Ｆ１８０２では、制御手段１４はユーザのＣＤボタン１５０９押下が最初であるかどうか判定する。判定においては、例えば図２２のＦ１２０２と同様にフラグデータを記録しておき、制御手段１４がこのフラグデータを読み出すことで判定を行う。判定の結果、最初の押下でなければ処理Ｆ１８０３に進み、最初の押下であれば後述の図２９の処理に移る。
【０１７１】
ユーザが最初にＣＤボタン１５０９を押下したのでなければ、制御手段１４は処理Ｆ１８０３において判定頻度リストを不揮発性メモリ手段１６からＣＤボタン１５０９を押下したときについての前記判定頻度リストの全メンバデータを読み出す。判定頻度リストを読み出したら、処理Ｆ１８０４に進む。
【０１７２】
処理Ｆ１８０４では、制御手段１４は判定頻度が最多であるメンバデータの判定メディア種別を図２２の処理Ｆ１２０４と同様に参照し、光ディスク１が判定頻度が最多であるメディアであれば処理Ｆ１８０９に進む。そうでなければ、処理Ｆ１８０５に進む。
【０１７３】
処理Ｆ１８０５では、制御手段１４は判定頻度が２番目に最多であるメンバデータの判定メディア種別を図２２の処理Ｆ１２０５と同様に参照し、光ディスク１が判定頻度が２番目に最多であるメディアであれば処理Ｆ１８１０に進む。そうでなければ、処理Ｆ１８０６に進む。
【０１７４】
処理Ｆ１８０６では、制御手段１４は判定頻度が３番目に最多であるメンバデータの判定メディア種別を図２２の処理Ｆ１２０６と同様に参照し、光ディスク１が判定頻度が３番目に最多であるメディアであれば処理Ｆ１８１１に進む。そうでなければ、処理Ｆ１８０７に進む。
【０１７５】
処理Ｆ１８０７では、制御手段１４は判定頻度が４番目に最多であるメンバデータの判定メディア種別を図２２の処理Ｆ１２０７と同様に参照し、光ディスク１が判定頻度が４番目に最多であるメディアであれば処理Ｆ１８１２に進む。そうでなければ、処理Ｆ１８０８に進む。
【０１７６】
処理Ｆ１８０８では、装着された光ディスク１が、装置が対応する光ディスクのいずれとも整合しないので記録または再生が不可能であるため、図２２の処理Ｆ１２０８と同様にディスク１を排出しディスク１を排出し、ユーザまたはホストから何らかの動作があるまで待機状態となる。
【０１７７】
処理Ｆ１８０９、Ｆ１８１０、Ｆ１８１１、及びＦ１８１２では、制御手段１４は判定頻度リストの更新を行う。判定頻度リストの更新は前記図２２の処理Ｆ１２０９、Ｆ１２１０、Ｆ１２１１、及びＦ１２１２と同様であり、処理Ｆ１８０９、Ｆ１８１０、Ｆ１８１１、及びＦ１８１２の各処理では、ＣＤボタン１５０９を押下したときについての判定頻度リストにおいて、それぞれ判定頻度が最多であるメンバデータ、２番目に最多であるメンバデータ、３番目に最多であるメンバデータ、４番目に最多であるメンバデータについての判定頻度の値を更新する。処理Ｆ１８０９、Ｆ１８１０、Ｆ１８１１、及びＦ１８１２においてＣＤボタン１５０９を押下したときについての判定頻度リストの更新を行ったら、判別したメディアの種類に従い、ＢＤであれば前記図４、ＨＤ ＤＶＤであれば前記図５、ＤＶＤであれば前記図６、及びＣＤであれば前記図７の処理に移る。
【０１７８】
ユーザが最初にＣＤボタン１５０９を押下したのであれば、制御手段１４は図２９の処理Ｆ１９０１において光ディスク１がＣＤかどうかを前記図３の処理Ｆ０１０５と同様にして判定する。判定の結果、ＣＤであれば処理Ｆ１９０６においてＣＤボタン１５０９を押下したときについての判定頻度リストにおいて、ＣＤについての判定頻度の値を更新し、前記図７の処理に移る。ＣＤでなければ処理Ｆ１９０２に進む。
【０１７９】
処理Ｆ１９０２では、制御手段１４は光ディスク１がＢＤかどうかを前記図３の処理Ｆ０１０２と同様にして判定する。判定の結果、ＢＤであれば処理Ｆ１９０７においてＣＤボタン１５０９を押下したときについての判定頻度リストにおいて、ＢＤについての判定頻度の値を更新し、前記図４の処理に移る。ＢＤでなければ処理Ｆ１９０３に進む。
【０１８０】
処理Ｆ１９０３では、制御手段１４は光ディスク１がＨＤ ＤＶＤかどうかを前記図３の処理Ｆ０１０３と同様にして判定する。判定の結果、ＨＤ ＤＶＤであれば処理Ｆ１９０８においてＣＤボタン１５０９を押下したときについての判定頻度リストにおいて、ＨＤ ＤＶＤについての判定頻度の値を更新し、前記図５の処理に移る。ＨＤ ＤＶＤでなければ処理Ｆ１９０４に進む。
【０１８１】
処理Ｆ１９０４では、制御手段１４は光ディスク１がＤＶＤかどうかを前記図３の処理Ｆ０１０４と同様にして判定する。判定の結果、ＤＶＤであれば処理Ｆ１９０９においてＣＤボタン１５０９を押下したときについての判定頻度リストにおいて、ＤＶＤについての判定頻度の値を更新し、前記図６の処理に移る。ＤＶＤでなければ処理Ｆ１９０５に進む。
【０１８２】
処理Ｆ１９０５では、装着された光ディスク１が、装置が対応する光ディスクのいずれとも整合しないので記録または再生が不可能であるため、制御手段１４はユーザインタフェース手段１５にトレー１５０１を開くよう制御してディスク１を排出しディスク１を排出し、ユーザまたはホストから何らかの動作があるまで待機状態となる。
【０１８３】
以上のように、光ディスク記録・再生装置に、ユーザが光ディスクの種類を設定するスイッチを設け、かつユーザが前記スイッチにより設定した光ディスクの種類の情報、及び判定頻度リストに基づき光ディスク判別を行い、不揮発性メモリ手段に判定頻度リストを更新及び保持する機能を有することで、実施例１と同様にユーザが光ディスクの判別を間違った場合にも、装置の起動時間短縮が可能となる。
【０１８４】
なお、本実施例では、対応する光ディスクをＢＤ、ＨＤ ＤＶＤ、ＤＶＤ、ＣＤの４種類としたので図２２、図２４、図２６、及び図２８の処理では判定頻度が４番目に最多であるメンバデータまでしか参照していないが、対応する光ディスクの種類が増えれば、それに応じてメンバデータを参照する処理が追加される。
【０１８５】
また、本実施例では、ユーザが判定を行うと、図３０や図３１に示す判定頻度リストの判定頻度が更新されるので、頻度を示すカウント値が許す限り更新をおこなうが、過去のM回のユーザの判定頻度に基づいてメディアの判定の順番を決定しても良い。Ｍの値は、あらかじめ制御手段１４で定めておく。ただしＭの値は、ユーザインタフェース手段１５にダイヤルやスイッチを設けてＭの値をユーザが設定できるようにしておき、ユーザが光ディスク記録・再生装置を使用する前にＭの値を設定できるようにしても良いし、ホストインタフェース手段１３を通じて、ホストで動作しているアプリケーション上からコマンド等を使用してＭの値を設定できるようにしても良い。図４０は過去M回のユーザ判定時のメディア種別情報を不揮発性メモリ手段１６に記録したデータ(以下、判定メディアログと呼ぶ)の一例を示している。該判定メディアログは、8ｂｉｔの判定メディア種別をもち、光ディスク記録・再生装置が判別したメディア種別を記録する。図４０の例は、不揮発性メモリ手段１６の一部をＦＩＦＯ(Ｆｉｒｓｔ Ｉｎ Ｆｉｒｓｔ Ｏｕｔ)として管理し、M回前の判別時のメディア種別が記録されているアドレスをポインタとして同様に不揮発性メモリ手段１６で記録する。新たに判別を行った際、ポインタが示すアドレス位置に今回の判定メディア種別を記録する。図４０の判定メディアログは、光ディスク記録・再生装置が対応するメディアの種類の数だけ記録する。
【０１８６】
また、図２１において、処理Ｆ１１０２、Ｆ１１０３、Ｆ１１０４、及びＦ１１０５の処理の順番は、入れ替わっても良い。
【０１８７】
また、図２３において、処理Ｆ１３０２、Ｆ１３０３、及びＦ１３０４の処理の順番は、入れ替わっても良い。
【０１８８】
また、図２５において、処理Ｆ１５０２、Ｆ１５０３、及びＦ１５０４の処理の順番は、入れ替わっても良い。
【０１８９】
また、図２７において、処理Ｆ１７０２、Ｆ１７０３、及びＦ１７０４の処理の順番は、入れ替わっても良い。
【０１９０】
また、図２９において、処理Ｆ１９０２、Ｆ１９０３、及びＦ１９０４の処理の順番は、入れ替わっても良い。
【０１９１】
また、図２２の処理Ｆ１２０３において、ＢＤボタン１５０６を押下したときについての判定頻度リストの全メンバデータを読み出すとしたが、処理Ｆ１２０３の代わりに処理Ｆ１２０４では判定頻度が最多であるメンバデータのみを、処理Ｆ１２０５では判定頻度が最多から２番目であるメンバデータのみを、処理Ｆ１２０６では判定頻度が最多から３番目であるメンバデータのみを、処理Ｆ１２０７では判定頻度が最多から４番目であるメンバデータのみを読み出しても良い。
【０１９２】
また、図２４の処理Ｆ１４０３において、ＨＤ ＤＶＤボタン１５０７を押下したときについての判定頻度リストの全メンバデータを読み出すとしたが、処理Ｆ１４０３の代わりに処理Ｆ１４０４では判定頻度が最多であるメンバデータのみを、処理Ｆ１４０５では判定頻度が最多から２番目であるメンバデータのみを、処理Ｆ１４０６では判定頻度が最多から３番目であるメンバデータのみを、処理Ｆ１４０７では判定頻度が最多から４番目であるメンバデータのみを読み出しても良い。
【０１９３】
また、図２６の処理Ｆ１６０３において、ＤＶＤボタン１５０８を押下したときについての判定頻度リストの全メンバデータを読み出すとしたが、処理Ｆ１６０３の代わりに処理Ｆ１６０４では判定頻度が最多であるメンバデータのみを、処理Ｆ１６０５では判定頻度が最多から２番目であるメンバデータのみを、処理Ｆ１６０６では判定頻度が最多から３番目であるメンバデータのみを、処理Ｆ１６０７では判定頻度が最多から４番目であるメンバデータのみを読み出しても良い。
【０１９４】
また、図２８の処理Ｆ１８０３において、ＣＤボタン１５０９を押下したときについての判定頻度リストの全メンバデータを読み出すとしたが、処理Ｆ１８０３の代わりに処理Ｆ１８０４では判定頻度が最多であるメンバデータのみを、処理Ｆ１８０５では判定頻度が最多から２番目であるメンバデータのみを、処理Ｆ１８０６では判定頻度が最多から３番目であるメンバデータのみを、処理Ｆ１８０７では判定頻度が最多から４番目であるメンバデータのみを読み出しても良い。
【０１９５】
本実施例の処理においては、複数の種類のディスクのうち、ユーザの選択した媒体の種類が正しいか否かに係わらず、光ディスク記録・再生装置は、ユーザの選択に対応して判定頻度の多い種類の媒体との整合性を判断する。つまり、光ディスク記録・再生装置は、ユーザが誤った選択を続けた場合において、最も可能性が高い種類の媒体との整合性をとるため、判定を完了させるための時間を短縮することが可能となる。
【実施例３】
【０１９６】
次に、実施例３を説明する。本実施例では、実施例１及び２と同様、記録または再生に対応する光ディスクをＣＤ、ＤＶＤ、ＢＤ、及びＨＤ ＤＶＤとした例とする。
【０１９７】
本実施例において、ユーザが光ディスクを装着してから光ディスク記録・再生装置が起動するまでの動作を図３２乃至図３８を用いて説明する。本実施例での光ディスク記録・再生装置の構成は図１と同様である。
【０１９８】
また、実施例３においては、ユーザがボタン等を用いて媒体の種別を選択した際に、ユーザの媒体選択の信頼性が高い場合には、光ディスク記録・再生装置は、まず装着されたディスクがユーザ選択したディスクか否かを判断するが、ユーザの信頼性が低い場合には、装着したディスクが判定頻度の最も高いディスクであるか否かを判定する。本実施例では、ユーザが行った誤判定の回数で、信頼性を評価する例について説明する。
【０１９９】
図３２乃至図３８は実施例３での動作フローを用いて、実施例３の光ディスク記録・再生装置における光ディスクの判別手順について説明する。
【０２００】
図３２において、まず光ディスク記録・再生装置は、ユーザが押下するボタンが何かの判定を行う。
ユーザは、処理Ｆ２００１において、開閉ボタンを押下する。本実施例における光ディスク記録・再生装置の前面の概観図の一例は図１３と同様である。ユーザがＢＤボタン１５０６、ＨＤ ＤＶＤボタン１５０７、ＤＶＤボタン１５０８、ＣＤボタン１５０９、またはＡｕｔｏボタン１５１０のいずれかの開閉ボタンを押下したら、処理Ｆ２００２に進む。
【０２０１】
処理Ｆ２００２では、ユーザインタフェース手段１５はユーザが押下したボタンがAutoボタン１５１０かどうか判定する。判定の結果、ユーザがAutoボタン１５１０を押下したのであればユーザインタフェース手段１５は制御手段１４にＡｕｔｏボタン１５１０を押下されたことを通知し、前記図３の処理に移る。Autoボタン１５１０でなければ、処理Ｆ２００３に進む。
【０２０２】
処理Ｆ２００３では、ユーザインタフェース手段１５はユーザが押下したボタンがＢＤボタン１５０６かどうか判定する。判定の結果、ユーザがＢＤボタン１５０６を押下したのであればユーザインタフェース手段１５は制御手段１４にＢＤボタン１５０６を押下されたことを通知し、図３３の処理に移る。ＢＤボタン１５０６でなければ、処理Ｆ２００４に進む。
【０２０３】
処理Ｆ２００４では、ユーザインタフェース手段１５はユーザが押下したボタンがＨＤ ＤＶＤボタン１５０７かどうか判定する。判定の結果、ユーザがＨＤ ＤＶＤボタン１５０７を押下したのであればユーザインタフェース手段１５は制御手段１４にＨＤ ＤＶＤボタン１５０７を押下されたことを通知し、図３６の処理に移る。ＨＤ ＤＶＤボタン１５０７でなければ、処理Ｆ２００５に進む。
【０２０４】
処理Ｆ２００５では、ユーザインタフェース手段１５はユーザが押下したボタンがＤＶＤボタン１５０８かどうか判定する。判定の結果、ユーザがＤＶＤボタン１５０８を押下したのであればユーザインタフェース手段１５は制御手段１４にＤＶＤボタン１５０８を押下されたことを通知し、図３７の処理に移る。ＤＶＤボタン１５０８でなければ、図３８の処理に移る。
【０２０５】
図３３は、図３２のＦ２００３においてユーザがＢＤボタン１５０６を押下した場合の処理を示すフローチャートである。
【０２０６】
ユーザがＢＤボタン１５０６を押下したのであれば、制御手段１４は図３３の処理Ｆ２１０１で前記図３の処理Ｆ０１０１と同様にして光ディスク１が装着されたかどうか判定する。トレー１５０１が開いていた状態でＢＤボタン１５０６を押下した場合は、トレー１５０１を閉じ、トレー１５０１上に光ディスク１があるかどうか判定し、判定の結果光ディスク１があれば、処理Ｆ２１０２に進み、光ディスク１がなければ、ユーザまたはホストから何らかの動作があるまで待機状態となる。トレー１５０１が閉じていた状態でＢＤボタン１５０６を押下した場合は、制御手段１４はユーザインタフェース手段１５にトレー１５０１を開くよう制御し、ユーザまたはホストから何らかの動作があるまで待機状態となる。
【０２０７】
処理Ｆ２１０２では、制御手段１４はユーザがＢＤボタン１５０６を押下したときの誤判定回数がＮ回以内であるかどうか判定する。Ｎの値は、あらかじめ制御手段１４で定めておく。ただしＮの値は、ユーザインタフェース手段１５にダイヤルやスイッチなどを設けてＮの値をユーザが設定できるようにしておき、ユーザが光ディスク記録・再生装置を使用する前にＮの値を設定できるようにしても良いし、ホストインタフェース手段１３を通じて、ホストで動作しているアプリケーション上からコマンド等を使用してＮの値を設定できるようにしても良い。
【０２０８】
誤判定回数を算出する手順は、まずあらかじめ実施例２と同様に判定頻度リストを不揮発性メモリ手段１６に記録しておき、制御手段１４がＢＤボタン１５０６を押下したときについての判定頻度リストの全メンバデータを読み出す。該読み出した全メンバデータのうち、判別メディア種別がＢＤ以外のメンバデータの判定頻度を参照し、合計値を算出する。この合計値が誤判定回数である。制御手段１４は該誤判定回数とあらかじめ設定されているＮの値を比較し、誤判定がＮ回以内であれば処理Ｆ２１０３に進み、Ｎ回より多ければ図３４の処理に移る。
【０２０９】
処理Ｆ２１０３では、制御手段１４は光ディスク１がＢＤかどうかを判定する。判定では、例えば前記図３の処理Ｆ０１０２と同様に行う。判定の結果、ＢＤであれば処理Ｆ２１０９に進む。ＢＤでなければ、ユーザが誤判定してＢＤボタン１５０６を押下したものとして処理Ｆ２１０４に進む。
【０２１０】
処理Ｆ２１０４では、制御手段１４はユーザの誤判定が最初であるかどうか判定する。判定においては、例えば前記図８の処理Ｆ０６０３と同様に行う。この結果、最初の誤判定でなければ図３５の処理に移り、最初の誤判定であれば処理Ｆ２１０５に進む。
【０２１１】
処理Ｆ２１０５では、制御手段１４は光ディスク１がＨＤ ＤＶＤかどうかを判定する。判定では、例えば前記図３の処理Ｆ０１０３と同様に行う。判定の結果、ＨＤ ＤＶＤであれば処理Ｆ２１１０に進む。ＨＤ ＤＶＤでなければ、処理Ｆ２１０６に進む。
【０２１２】
処理Ｆ２１０６では、制御手段１４は光ディスク１がＤＶＤかどうかを判定する。判定では、例えば前記図３の処理Ｆ０１０４と同様に行う。判定の結果、ＤＶＤであれば処理Ｆ２１１１に進む。ＤＶＤでなければ、処理Ｆ２１０７に進む。
【０２１３】
処理Ｆ２１０７では、制御手段１４は光ディスク１がＣＤかどうかを判定する。判定では、例えば前記図３の処理Ｆ０１０５と同様に行う。判定の結果、ＣＤであれば処理Ｆ２１１２に移る。ＣＤでなければ、処理Ｆ２１０８に進む。
【０２１４】
処理Ｆ２１０８では、装着された光ディスク１が、装置が対応する光ディスクのいずれとも整合しないので記録または再生が不可能であるため、制御手段１４はユーザインタフェース手段１５にトレー１５０１を開くよう制御して光ディスク１を排出し、ユーザまたはホストから何らかの動作があるまで待機状態となる。
【０２１５】
処理Ｆ２１０９、Ｆ２１１０、Ｆ２１１１、及びＦ２１１２では、制御手段１４は判定頻度リストの更新を行う。判定頻度リストの更新は、ＢＤボタン１５０６を押下したときについての判定頻度リストにおいて、それぞれ判定頻度が最多であるメンバデータ、２番目に最多であるメンバデータ、３番目に最多であるメンバデータ、４番目に最多であるメンバデータについての判定頻度の値を更新する。処理Ｆ２１０９、Ｆ２１１０、Ｆ２１１１、及びＦ２１１２においてＢＤボタン１５０６を押下したときについての判定頻度リストの更新を行ったら、判別したメディアの種類に従い、ＢＤであれば前記図４、ＨＤ ＤＶＤであれば前記図５、ＤＶＤであれば前記図６、及びＣＤであれば前記図７の処理に移る。
【０２１６】
図３３の処理Ｆ２１０２、もしくは後記図３６の処理Ｆ２４０２、後記図３７の処理Ｆ２５０２、後記図３８の処理Ｆ２６０２において、誤判定がＮ回より多ければ、図３４の処理に移る。図３４のＦ２２０１では、制御手段１４は判定頻度リストを不揮発性メモリ手段１６から、図３３の処理Ｆ２１０２の後処理であればＢＤボタン１５０６を押下したときについての前記判定頻度リスト、後記図３６の処理Ｆ２４０２の後処理であればＨＤ ＤＶＤボタン１５０７を押下したときについての前記判定頻度リスト、後記図３７の処理Ｆ２５０２の後処理であればＤＶＤボタン１５０８を押下したときについての前記判定頻度リスト、もしくは後記図３８の処理Ｆ２６０２の後処理であればＣＤボタン１５０９を押下したときについての前記判定頻度リストの全メンバデータを読み出す。判定頻度リストを読み出したら、処理Ｆ２２０２に進む。
【０２１７】
処理Ｆ２２０２では、制御手段１４は判定頻度が最多であるメンバデータの判定メディア種別を図２２の処理Ｆ１２０４と同様に参照し、光ディスク１が判定頻度が最多であるメディアであれば処理Ｆ２２０７に進む。そうでなければ、処理Ｆ２２０３に進む。
【０２１８】
処理Ｆ２２０３では、制御手段１４は判定頻度が２番目に最多であるメンバデータの判定メディア種別を図２２の処理Ｆ１２０５と同様に参照し、光ディスク１が判定頻度が２番目に最多であるメディアであれば処理Ｆ２２０８に進む。そうでなければ、処理Ｆ２２０４に進む。
【０２１９】
処理Ｆ２２０４では、制御手段１４は判定頻度が３番目に最多であるメンバデータの判定メディア種別を図２２の処理Ｆ１２０６と同様に参照し、光ディスク１が判定頻度が３番目に最多であるメディアであれば処理Ｆ２２０９に進む。そうでなければ、処理Ｆ２２０５に進む。
【０２２０】
処理Ｆ２２０５では、制御手段１４は判定頻度が４番目に最多であるメンバデータの判定メディア種別を図２２の処理Ｆ１２０７と同様に参照し、光ディスク１が判定頻度が４番目に最多であるメディアであれば処理Ｆ２２１０に進む。そうでなければ、処理Ｆ２２０６に進む。
【０２２１】
処理Ｆ２２０６では、装着された光ディスク１が、装置が対応する光ディスクのいずれとも整合しないので記録または再生が不可能であるため、図２２の処理Ｆ１２０８と同様にディスク１を排出し、ユーザまたはホストから何らかの動作があるまで待機状態となる。
【０２２２】
処理Ｆ２２０７、Ｆ２２０８、Ｆ２２０９、及びＦ２２１０では、制御手段１４は判定頻度リストの更新を行う。判定頻度リストの更新は前記図２２の処理Ｆ１２０９、Ｆ１２１０、Ｆ１２１１、及びＦ１２１２と同様であり、処理Ｆ２２０７、Ｆ２２０８、Ｆ２２０９、及びＦ２２１０の各処理では、図３３の処理Ｆ２１０２の後処理であればＢＤボタン１５０６を押下したときについての前記判定頻度リスト、後記図３６の処理Ｆ２４０２の後処理であればＨＤ ＤＶＤボタン１５０７を押下したときについての前記判定頻度リスト、後記図３７の処理Ｆ２５０２の後処理であればＤＶＤボタン１５０８を押下したときについての前記判定頻度リスト、もしくは後記図３８の処理Ｆ２６０２の後処理であればＣＤボタン１５０９を押下したときについての前記判定頻度リストにおいて、それぞれ判定頻度が最多であるメンバデータ、２番目に最多であるメンバデータ、３番目に最多であるメンバデータ、４番目に最多であるメンバデータについての判定頻度の値を更新する。処理Ｆ２２０７、Ｆ２２０８、Ｆ２２０９、及びＦ２２１０において判定頻度リストの更新を行ったら、判別したメディアの種類に従い、ＢＤであれば前記図４、ＨＤ ＤＶＤであれば前記図５、ＤＶＤであれば前記図６、及びＣＤであれば前記図７の処理に移る。
【０２２３】
図３３の処理Ｆ２１０４、もしくは後記図３６の処理Ｆ２４０４、後記図３７の処理Ｆ２５０４、後記図３８の処理Ｆ２６０４において、最初の誤判定であれば、図３５の処理に移る。図３５のＦ２３０１では、制御手段１４は判定頻度リストを不揮発性メモリ手段１６から、図３３の処理Ｆ２１０４の後処理であればＢＤボタン１５０６を押下したときについての前記判定頻度リスト、後記図３６の処理Ｆ２４０４の後処理であればＨＤ ＤＶＤボタン１５０７を押下したときについての前記判定頻度リスト、後記図３７の処理Ｆ２５０４の後処理であればＤＶＤボタン１５０８を押下したときについての前記判定頻度リスト、もしくは後記図３８の処理Ｆ２６０４の後処理であればＣＤボタン１５０９を押下したときについての前記判定頻度リストの全メンバデータを読み出す。判定頻度リストを読み出したら、処理Ｆ２３０２に進む。
【０２２４】
処理Ｆ２３０２では、制御手段１４は誤判定頻度が最多であるメンバデータの判定メディア種別を判定頻度リストから求める。誤判定頻度が最多であるメンバデータは、判定頻度リストのメンバデータのうち、図３３の処理Ｆ２１０２の後処理であればＢＤ、後記図３６の処理Ｆ２４０２の後処理であればＨＤ ＤＶＤ、後記図３７の処理Ｆ２５０２の後処理であればＤＶＤ、もしくは後記図３８の処理Ｆ２６０２の後処理であればＣＤのメンバデータを除いたメンバデータのうち、判定頻度が最多のものである。光ディスク１が判定頻度が最多であるメディアであれば処理Ｆ２３０６に進む。そうでなければ、処理Ｆ２３０３に進む。
【０２２５】
処理Ｆ２３０３では、制御手段１４は誤判定頻度が２番目に最多であるメンバデータの判定メディア種別を判定頻度リストから求める。誤判定頻度が２番目に最多であるメンバデータは、判定頻度リストのメンバデータのうち、図３３の処理Ｆ２１０２の後処理であればＢＤ、後記図３６の処理Ｆ２４０２の後処理であればＨＤ ＤＶＤ、後記図３７の処理Ｆ２５０２の後処理であればＤＶＤ、もしくは後記図３８の処理Ｆ２６０２の後処理であればＣＤのメンバデータを除いたメンバデータのうち、判定頻度が２番目に最多のものである。光ディスク１が判定頻度が２番目に最多であるメディアであれば処理Ｆ２３０７に進む。そうでなければ、処理Ｆ２３０４に進む。
【０２２６】
処理Ｆ２２０４では、制御手段１４は誤判定頻度が３番目に最多であるメンバデータの判定メディア種別を判定頻度リストから求める。誤判定頻度が３番目に最多であるメンバデータは、判定頻度リストのメンバデータのうち、図３３の処理Ｆ２１０２の後処理であればＢＤ、後記図３６の処理Ｆ２４０２の後処理であればＨＤ ＤＶＤ、後記図３７の処理Ｆ２５０２の後処理であればＤＶＤ、もしくは後記図３８の処理Ｆ２６０２の後処理であればＣＤのメンバデータを除いたメンバデータのうち、判定頻度が３番目に最多のものである。光ディスク１が判定頻度が３番目に最多であるメディアであれば処理Ｆ２３０８に進む。そうでなければ、処理Ｆ２３０５に進む。
【０２２７】
処理Ｆ２３０５では、装着された光ディスク１が、装置が対応する光ディスクのいずれとも整合しないので記録または再生が不可能であるため、図２２の処理Ｆ１２０８と同様にディスク１を排出し、ユーザまたはホストから何らかの動作があるまで待機状態となる。
【０２２８】
処理Ｆ２３０６、Ｆ２３０７、及びＦ２３０８では、制御手段１４は判定頻度リストの更新を行う。判定頻度リストの更新は前記図２２の処理Ｆ１２０９、Ｆ１２１０、Ｆ１２１１、及びＦ１２１２と同様であり、処理Ｆ２３０６、Ｆ２３０７、及びＦ２３０８の各処理では、図３３の処理Ｆ２１０２の後処理であればＢＤボタン１５０６を押下したときについての前記判定頻度リスト、後記図３６の処理Ｆ２４０２の後処理であればＨＤ ＤＶＤボタン１５０７を押下したときについての前記判定頻度リスト、後記図３７の処理Ｆ２５０２の後処理であればＤＶＤボタン１５０８を押下したときについての前記判定頻度リスト、もしくは後記図３８の処理Ｆ２６０２の後処理であればＣＤボタン１５０９を押下したときについての前記判定頻度リストにおいて、それぞれ判定頻度が最多であるメンバデータ、２番目に最多であるメンバデータ、３番目に最多であるメンバデータ、４番目に最多であるメンバデータについての判定頻度の値を更新する。処理Ｆ２３０６、Ｆ２３０７、及びＦ２３０８において判定頻度リストの更新を行ったら、判別したメディアの種類に従い、ＢＤであれば前記図４、ＨＤ ＤＶＤであれば前記図５、ＤＶＤであれば前記図６、及びＣＤであれば前記図７の処理に移る。
【０２２９】
図３６は、図３２のＦ２００４においてユーザがＢＤボタン１５０７を押下した場合の処理を示すフローチャートである。
【０２３０】
ユーザがＨＤ ＤＶＤボタン１５０７を押下したのであれば、制御手段１４は図３６の処理Ｆ２４０１で前記図３の処理Ｆ０１０１と同様にして光ディスク１が装着されたかどうか判定する。トレー１５０１が開いていた状態でＨＤ ＤＶＤボタン１５０７を押下した場合は、トレー１５０１を閉じ、トレー１５０１上に光ディスク１があるかどうか判定し、判定の結果光ディスク１があれば、処理Ｆ２４０２に進み、光ディスク１がなければ、ユーザまたはホストから何らかの動作があるまで待機状態となる。トレー１５０１が閉じていた状態でＨＤ ＤＶＤボタン１５０７を押下した場合は、制御手段１４はユーザインタフェース手段１５にトレー１５０１を開くよう制御し、ユーザまたはホストから何らかの動作があるまで待機状態となる。
【０２３１】
処理Ｆ２４０２では、制御手段１４はユーザがＨＤ ＤＶＤボタン１５０７を押下したときの誤判定回数がＮ回以内であるかどうか図３３の処理Ｆ２１０２と同様に判定する。誤判定がＮ回以内であれば処理Ｆ２４０３に進み、Ｎ回より多ければ前記図３４の処理に移る。
【０２３２】
処理Ｆ２４０３では、制御手段１４は光ディスク１がＨＤ ＤＶＤかどうかを判定する。判定では、例えば前記図３の処理Ｆ０１０３と同様に行う。判定の結果、ＨＤ ＤＶＤであれば処理Ｆ２４０９に進む。ＨＤ ＤＶＤでなければ、ユーザが誤判定してＨＤ ＤＶＤボタン１５０７を押下したものとして処理Ｆ２４０４に進む。
【０２３３】
処理Ｆ２４０４では、制御手段１４はユーザの誤判定が最初であるかどうか判定する。判定においては、例えば前記図８の処理Ｆ０６０３と同様に行う。この結果、最初の誤判定でなければ前記図３５の処理に移り、最初の誤判定であれば処理Ｆ２４０５に進む。
【０２３４】
処理Ｆ２４０５では、制御手段１４は光ディスク１がＢＤかどうかを判定する。判定では、例えば前記図３の処理Ｆ０１０２と同様に行う。判定の結果、ＢＤであれば処理Ｆ２４１０に進む。ＢＤでなければ、処理Ｆ２４０６に進む。
【０２３５】
処理Ｆ２４０６では、制御手段１４は光ディスク１がＤＶＤかどうかを判定する。判定では、例えば前記図３の処理Ｆ０１０４と同様に行う。判定の結果、ＤＶＤであれば処理Ｆ２４１１に進む。ＤＶＤでなければ、処理Ｆ２４０７に進む。
【０２３６】
処理Ｆ２４０７では、制御手段１４は光ディスク１がＣＤかどうかを判定する。判定では、例えば前記図３の処理Ｆ０１０５と同様に行う。判定の結果、ＣＤであれば処理Ｆ２４１２に移る。ＣＤでなければ、処理Ｆ２４０８に進む。
【０２３７】
処理Ｆ２４０８では、装着された光ディスク１が、装置が対応する光ディスクのいずれとも整合しないので記録または再生が不可能であるため、制御手段１４はユーザインタフェース手段１５にトレー１５０１を開くよう制御して光ディスク１を排出し、ユーザまたはホストから何らかの動作があるまで待機状態となる。
【０２３８】
処理Ｆ２４０９、Ｆ２４１０、Ｆ２４１１、及びＦ２４１２では、制御手段１４は判定頻度リストの更新を行う。判定頻度リストの更新は、前記図３３の処理Ｆ２１０９、Ｆ２１１０、Ｆ２１１１、及びＦ２１１２と同様に行い、ＨＤ ＤＶＤボタン１５０７を押下したときについての判定頻度リストにおいて、それぞれ判定頻度が最多であるメンバデータ、２番目に最多であるメンバデータ、３番目に最多であるメンバデータ、４番目に最多であるメンバデータについての判定頻度の値を更新する。処理Ｆ２４０９、Ｆ２４１０、Ｆ２４１１、及びＦ２４１２においてＨＤ ＤＶＤボタン１５０７を押下したときについての判定頻度リストの更新を行ったら、判定したメディアの種類に従い、ＢＤであれば前記図４、ＨＤ ＤＶＤであれば前記図５、ＤＶＤであれば前記図６、及びＣＤであれば前記図７の処理に移る。
【０２３９】
図３７は、図３２のＦ２００５においてユーザがＤＶＤボタン１５０８を押下した場合の処理を示すフローチャートである。
【０２４０】
ユーザがＤＶＤボタン１５０８を押下したのであれば、制御手段１４は図３７の処理Ｆ２５０１で前記図３の処理Ｆ０１０１と同様にして光ディスク１が装着されたかどうか判定する。トレー１５０１が開いていた状態でＤＶＤボタン１５０８を押下した場合は、トレー１５０１を閉じ、トレー１５０１上に光ディスク１があるかどうか判定し、判定の結果光ディスク１があれば、処理Ｆ２５０２に進み、光ディスク１がなければ、ユーザまたはホストから何らかの動作があるまで待機状態となる。トレー１５０１が閉じていた状態でＤＶＤボタン１５０８を押下した場合は、制御手段１４はユーザインタフェース手段１５にトレー１５０１を開くよう制御し、ユーザまたはホストから何らかの動作があるまで待機状態となる。
【０２４１】
処理Ｆ２５０２では、制御手段１４はユーザがＤＶＤボタン１５０８を押下したときの誤判定回数がＮ回以内であるかどうか図３３の処理Ｆ２１０２と同様に判定する。誤判定がＮ回以内であれば処理Ｆ２５０３に進み、Ｎ回より多ければ前記図３４の処理に移る。
【０２４２】
処理Ｆ２５０３では、制御手段１４は光ディスク１がＤＶＤかどうかを判定する。判定では、例えば前記図３の処理Ｆ０１０４と同様に行う。判定の結果、ＤＶＤであれば処理Ｆ２５０９に進む。ＤＶＤでなければ、ユーザが誤判定してＤＶＤボタン１５０８を押下したものとして処理Ｆ２５０４に進む。
【０２４３】
処理Ｆ２５０４では、制御手段１４はユーザの誤判定が最初であるかどうか判定する。判定においては、例えば前記図８の処理Ｆ０６０３と同様に行う。判定の結果、最初の誤判定でなければ前記図３５の処理に移り、最初の誤判定であれば処理Ｆ２５０５に進む。
【０２４４】
処理Ｆ２５０５では、制御手段１４は光ディスク１がＢＤかどうかを判定する。判定では、例えば前記図３の処理Ｆ０１０２と同様に行う。判定の結果、ＢＤであれば処理Ｆ２５１０に進む。ＢＤでなければ、処理Ｆ２５０６に進む。
【０２４５】
処理Ｆ２５０６では、制御手段１４は光ディスク１がＨＤ ＤＶＤかどうかを判定する。判定では、例えば前記図３の処理Ｆ０１０３と同様に行う。判定の結果、ＨＤ ＤＶＤであれば処理Ｆ２５１１に進む。ＨＤ ＤＶＤでなければ、処理Ｆ２５０７に進む。
【０２４６】
処理Ｆ２５０７では、制御手段１４は光ディスク１がＣＤかどうかを判定する。判定では、例えば前記図３の処理Ｆ０１０５と同様に行う。判定の結果、ＣＤであれば処理Ｆ２５１２に移る。ＣＤでなければ、処理Ｆ２５０８に進む。
【０２４７】
処理Ｆ２５０８では、装着された光ディスク１が、装置が対応する光ディスクのいずれとも整合しないので記録または再生が不可能であるため、制御手段１４はユーザインタフェース手段１５にトレー１５０１を開くよう制御して光ディスク１を排出し、ユーザまたはホストから何らかの動作があるまで待機状態となる。
【０２４８】
処理Ｆ２５０９、Ｆ２５１０、Ｆ２５１１、及びＦ２５１２では、制御手段１４は判定頻度リストの更新を行う。判定頻度リストの更新は、前記図３３の処理Ｆ２１０９、Ｆ２１１０、Ｆ２１１１、及びＦ２１１２と同様に行い、ＤＶＤボタン１５０８を押下したときについての判定頻度リストにおいて、それぞれ判定頻度が最多であるメンバデータ、２番目に最多であるメンバデータ、３番目に最多であるメンバデータ、４番目に最多であるメンバデータについての判定頻度の値を更新する。処理Ｆ２５０９、Ｆ２５１０、Ｆ２５１１、及びＦ２５１２においてＤＶＤボタン１５０８を押下したときについての判定頻度リストの更新を行ったら、判定したメディアの種類に従い、ＢＤであれば前記図４、ＨＤ ＤＶＤであれば前記図５、ＤＶＤであれば前記図６、及びＣＤであれば前記図７の処理に移る。
【０２４９】
図３８は、図３２においてユーザがＣＤボタン１５０９を押下した場合の処理を示すフローチャートである。
【０２５０】
ユーザがＣＤボタン１５０９を押下したのであれば、制御手段１４は図３８の処理Ｆ２６０１で前記図３の処理Ｆ０１０１と同様にして光ディスク１が装着されたかどうか判定する。トレー１５０１が開いていた状態でＣＤボタン１５０９を押下した場合は、トレー１５０１を閉じ、トレー１５０１上に光ディスク１があるかどうか判定し、判定の結果光ディスク１があれば、処理Ｆ２６０２に進み、光ディスク１がなければ、ユーザまたはホストから何らかの動作があるまで待機状態となる。トレー１５０１が閉じていた状態でＣＤボタン１５０９を押下した場合は、制御手段１４はユーザインタフェース手段１５にトレー１５０１を開くよう制御し、ユーザまたはホストから何らかの動作があるまで待機状態となる。
【０２５１】
処理Ｆ２６０２では、制御手段１４はユーザがＣＤボタン１５０９を押下したときの誤判定回数がＮ回以内であるかどうか図３３の処理Ｆ２１０２と同様に判定する。誤判定がＮ回以内であれば処理Ｆ２６０３に進み、Ｎ回より多ければ前記図３４の処理に移る。
【０２５２】
処理Ｆ２６０３では、制御手段１４は光ディスク１がＣＤかどうかを判定する。判定では、例えば前記図３の処理Ｆ０１０５と同様に行う。判定の結果、ＣＤであれば処理Ｆ２６０９に進む。ＣＤでなければ、ユーザが誤判定してＣＤボタン１５０９を押下したものとして処理Ｆ２６０４に進む。
【０２５３】
処理Ｆ２６０４では、制御手段１４はユーザの誤判定が最初であるかどうか判定する。判定においては、例えば前記図８の処理Ｆ０６０３と同様に行う。この結果、最初の誤判定でなければ前記図３５の処理に移り、最初の誤判定であれば処理Ｆ２６０５に進む。
【０２５４】
処理Ｆ２６０５では、制御手段１４は光ディスク１がＢＤかどうかを判定する。判定では、例えば前記図３の処理Ｆ０１０２と同様に行う。判定の結果、ＢＤであれば処理Ｆ２６１０に進む。ＢＤでなければ、処理Ｆ２６０６に進む。
【０２５５】
処理Ｆ２６０６では、制御手段１４は光ディスク１がＨＤ ＤＶＤかどうかを判定する。判定では、例えば前記図３の処理Ｆ０１０３と同様に行う。判定の結果、ＨＤ ＤＶＤであれば処理Ｆ２６１１に進む。ＨＤ ＤＶＤでなければ、処理Ｆ２６０７に進む。
【０２５６】
処理Ｆ２６０７では、制御手段１４は光ディスク１がＤＶＤかどうかを判定する。判定では、例えば前記図３の処理Ｆ０１０４と同様に行う。判定の結果、ＤＶＤであれば処理Ｆ２６１２に移る。ＤＶＤでなければ、処理Ｆ２６０８に進む。
【０２５７】
処理Ｆ２６０８では、装着された光ディスク１が、装置が対応する光ディスクのいずれとも整合しないので記録または再生が不可能であるため、制御手段１４はユーザインタフェース手段１５にトレー１５０１を開くよう制御して光ディスク１を排出し、ユーザまたはホストから何らかの動作があるまで待機状態となる。
【０２５８】
処理Ｆ２６０９、Ｆ２６１０、Ｆ２６１１、及びＦ２６１２では、制御手段１４は判定頻度リストの更新を行う。判定頻度リストの更新は、前記図３３の処理Ｆ２１０９、Ｆ２１１０、Ｆ２１１１、及びＦ２１１２と同様に行い、ＣＤボタン１５０９を押下したときについての判定頻度リストにおいて、それぞれ判定頻度が最多であるメンバデータ、２番目に最多であるメンバデータ、３番目に最多であるメンバデータ、４番目に最多であるメンバデータについての判定頻度の値を更新する。処理Ｆ２６０９、Ｆ２６１０、Ｆ２６１１、及びＦ２６１２においてＣＤボタン１５０９を押下したときについての判定頻度リストの更新を行ったら、判別したメディアの種類に従い、ＢＤであれば前記図４、ＨＤ ＤＶＤであれば前記図５、ＤＶＤであれば前記図６、及びＣＤであれば前記図７の処理に移る。
【０２５９】
以上のように、光ディスク記録・再生装置に、ユーザが光ディスクの種類を設定するスイッチを設け、かつユーザが前記スイッチにより設定した光ディスクの種類の情報、及び判定頻度リストに基づき光ディスク判別を行い、不揮発性メモリ手段に判定頻度リストを更新及び保持する機能を有することで、実施例１と同様にユーザが光ディスクの判別を間違った場合にも、装置の起動時間短縮が可能となる。
【０２６０】
また、本実施例では、ユーザが判定を行うと、図３０や図３１に示す判定頻度リストの判定頻度が更新されるので、頻度を示すカウント値が許す限り更新をおこなうが、実施例２の場合と同様に図４０のような前記判定メディアログをもちいて、過去のＭ回のユーザの判定頻度に基づいてメディアの判定の順番を決定しても良い。
【０２６１】
また、実施例１、実施例２、及び実施例３では図１３のようにＢＤ、ＨＤ ＤＶＤ、ＤＶＤ、及びＣＤについてそれぞれＢＤボタン１５０６、ＨＤ ＤＶＤボタン１５０７、ＤＶＤボタン１５０８、及びＣＤボタン１５０９の４つの設定ボタンを設けたが、さらに光ディスクの種別を細かくユーザが設定できるようにＢＤについてはＢＤ−ＲＯＭボタン、ＢＤ−Ｒボタン、及びＢＤ−ＲＥボタン、ＨＤ ＤＶＤについてはＨＤ ＤＶＤ−ＲＯＭボタン、ＨＤ ＤＶＤ−Ｒボタン、ＨＤ ＤＶＤ−ＲＷボタン、及びＨＤ ＤＶＤ−ＲＡＭボタン、ＤＶＤについてはＤＶＤ−ＲＯＭボタン、ＤＶＤ−Ｒボタン、ＤＶＤ−ＲＷボタン、ＤＶＤ−ＲＡＭボタン、ＤＶＤ＋Ｒボタン、及びＤＶＤ＋ＲＷボタン、ＣＤについてはＣＤ−ＲＯＭボタン、ＣＤ−Ｒボタン、及びＣＤ−ＲＷボタンを設けても良いし、さらに複数層の記録膜で構成する規格が存在する光ディスクについてはさらに種別を細分化してボタンを設けても良い。
【０２６２】
また、図１６は光ディスク記録・再生装置の前面の概観図の一例であり、表示部１５１１を備えており、ＢＤボタン１５０６、ＨＤ ＤＶＤボタン１５０７、ＤＶＤボタン１５０８、もしくはＣＤボタン１５０９を押すたびに表示部１５１１にユーザが設定するメディアの種別を表示する。例えば、ユーザがＢＤボタン１５０６の押下をｔ秒以内に繰り返す毎に図１７のように表示部１５１１に表示される文字が「ＢＤ Ａｕｔｏ」「ＢＤ−ＲＯＭ」「ＢＤ−Ｒ」「ＢＤ−ＲＥ」と表示が変わり、ｔ秒以内にユーザのＢＤボタン１５０６の押下がなければ、そのとき表示されているメディアの種類をユーザが設定し、光ディスク記録・再生装置がメディア判別の処理を開始しても良い。ここで、「ＢＤ  Ａｕｔｏ」は、ＢＤ−ＲＯＭ、ＢＤ−Ｒ、及びＢＤ−ＲＥの判別を光ディスク記録・再生装置が行う設定である。図１８、図１９、及び図２０はそれぞれユーザがＨＤ ＤＶＤボタン１５０７、ＤＶＤボタン１５０８、及びＣＤボタン１５０９の押下をｔ秒以内に繰り返したときの表示部１５１１に表示される文字の例を示しており、ＢＤボタン１５０６を押下したときと同様にそのとき表示されているメディアの種類をユーザが設定し、光ディスク記録・再生装置がメディア判別の処理を開始しても良い。
【０２６３】
また、実施例１、実施例２、及び実施例３では図１３、図１６のように光ディスク１を装着するトレー１５０１と、ユーザがメディア種類を選択するためのボタンであるＢＤボタン１５０６、ＨＤ ＤＶＤボタン１５０７、ＤＶＤボタン１５０８、ＣＤボタン１５０９、及びＡｕｔｏボタン１５１０を同じ筐体に備えている例を示しているが、ＤＶＤレコーダーやＢＤレコーダーなどのようにリモートコントローラが別添で備えてある光ディスク記録・再生装置においても、リモートコントローラに同様にＢＤボタン１５０６、ＨＤ ＤＶＤボタン１５０７、ＤＶＤボタン１５０８、ＣＤボタン１５０９、及びＡｕｔｏボタン１５１０を備えても良い。
【０２６４】
また、実施例１、実施例２、及び実施例３において、ユーザが判定したメディア種別と光ディスク記録・再生装置が判別したメディア種別が異なった場合、図１３、図１６のＢＤ用ＬＥＤ１５０２、ＨＤ ＤＶＤ用ＬＥＤ１５０３、ＤＶＤ用ＬＥＤ１５０４、ＣＤ用ＬＥＤにおいて、光ディスク記録・再生装置が判別したメディア種別のＬＥＤを点灯や点滅などをさせてよい。
【０２６５】
また、実施例１、実施例２、及び実施例３において、ユーザがメディア種類を選択するためのボタンであるＢＤボタン１５０６、ＨＤ ＤＶＤボタン１５０７、ＤＶＤボタン１５０８、及びＣＤボタン１５０９のいずれかの複数ボタンがユーザに同時にあるいは0.1秒などの瞬時の間隔で押された場合は、実施例１及び３では誤判定頻度が最多であるメディア種別での頻度を比較したときに、頻度が少ないほうのメディア種別のボタンを押されたとみなして判別を行っても良い。実施例２では、判定頻度が最多であるメディア種別での頻度を比較したときに、頻度が多いほうのメディア種別のボタンを押されたとみなして判別を行っても良い。
【０２６６】
また、図３２において、処理Ｆ２００２、Ｆ２００３、Ｆ２００４、及びＦ２００５の処理の順番は、入れ替わっても良い。
【０２６７】
また、図３３において、処理Ｆ２１０５、Ｆ２１０６、及びＦ２１０７の処理の順番は、入れ替わっても良い。
【０２６８】
また、図３６において、処理Ｆ２４０５、Ｆ２４０６、及びＦ２４０７の処理の順番は、入れ替わっても良い。
【０２６９】
また、図３７において、処理Ｆ２５０５、Ｆ２５０６、及びＦ２５０７の処理の順番は、入れ替わっても良い。
【０２７０】
また、図３８において、処理Ｆ２６０５、Ｆ２６０６、及びＦ２６０７の処理の順番は、入れ替わっても良い。
【０２７１】
また、図３４の処理Ｆ２２０１において、判定頻度リストの全メンバデータを読み出すとしたが、処理Ｆ２２０１の代わりに処理Ｆ２２０２では判定頻度が最多であるメンバデータのみを、処理Ｆ２２０３では判定頻度が最多から２番目であるメンバデータのみを、処理Ｆ２２０４では判定頻度が最多から３番目であるメンバデータのみを、処理Ｆ２２０５では判定頻度が最多から４番目であるメンバデータのみを読み出しても良い。
【０２７２】
また、本実施例３では、過去の誤判定の回数がＮ回以上か否かによって、ユーザの信頼性を評価する例について説明した。しかし、信頼性を評価する方法については、他の方法を用いてもよい。例えば、過去所定回数の選択操作のうちの誤判定の回数、例えば過去１００回の判定のうち、誤判定がＮ回以上か否かによって評価を行っても良い。これにより、使用開始して間もない間には誤った選択を続けたユーザが、やがて誤った選択を行わなくなった場合等において、光ディスク記録・再生装置がディスク判定を行う時間を短縮することが可能となる。
【０２７３】
また、以上実施例１乃至３の処理は、ハードウェアでも実現できるが、マイコンなどを使用したソフトウェアで実現しても良い。
【図面の簡単な説明】
【０２７４】
【図１】実施例１、２、及び３の光ディスク記録・再生システムの構成図
【図２】実施例１の光ディスク記録・再生システムのフロー図(１)
【図３】実施例１の光ディスク記録・再生システムのフロー図(２)
【図４】実施例１の光ディスク記録・再生システムのフロー図(３)
【図５】実施例１の光ディスク記録・再生システムのフロー図(４)
【図６】実施例１の光ディスク記録・再生システムのフロー図(５)
【図７】実施例１の光ディスク記録・再生システムのフロー図(６)
【図８】実施例１の光ディスク記録・再生システムのフロー図(７)
【図９】実施例１の光ディスク記録・再生システムのフロー図(８)
【図１０】実施例１の光ディスク記録・再生システムのフロー図(９)
【図１１】実施例１の光ディスク記録・再生システムのフロー図(１０)
【図１２】実施例１の光ディスク記録・再生システムのフロー図(１１)
【図１３】実施例１、２、及び３の光ディスク記録・再生システムの前面概観例(１)
【図１４】実施例１、及び３の光ディスク記録・再生システムの誤判定頻度リスト例(１)
【図１５】実施例１、及び３の光ディスク記録・再生システムの誤判定頻度リスト例(２)
【図１６】実施例１、２、及び３の光ディスク記録・再生システムの前面概観例(２)
【図１７】実施例１、２、及び３の光ディスク記録・再生システムの表示部の表示例(１)
【図１８】実施例１、２、及び３の光ディスク記録・再生システムの表示部の表示例(２)
【図１９】実施例１、２、及び３の光ディスク記録・再生システムの表示部の表示例(３)
【図２０】実施例１、２、及び３の光ディスク記録・再生システムの表示部の表示例(４)
【図２１】実施例２の光ディスク記録・再生システムのフロー図(１)
【図２２】実施例２の光ディスク記録・再生システムのフロー図(２)
【図２３】実施例２の光ディスク記録・再生システムのフロー図(３)
【図２４】実施例２の光ディスク記録・再生システムのフロー図(４)
【図２５】実施例２の光ディスク記録・再生システムのフロー図(５)
【図２６】実施例２の光ディスク記録・再生システムのフロー図(６)
【図２７】実施例２の光ディスク記録・再生システムのフロー図(７)
【図２８】実施例２の光ディスク記録・再生システムのフロー図(８)
【図２９】実施例２の光ディスク記録・再生システムのフロー図(９)
【図３０】実施例２の光ディスク記録・再生システムの判定頻度リスト例(１)
【図３１】実施例２の光ディスク記録・再生システムの判定頻度リスト例(２)
【図３２】実施例３の光ディスク記録・再生システムのフロー図(１)
【図３３】実施例３の光ディスク記録・再生システムのフロー図(２)
【図３４】実施例３の光ディスク記録・再生システムのフロー図(３)
【図３５】実施例３の光ディスク記録・再生システムのフロー図(４)
【図３６】実施例３の光ディスク記録・再生システムのフロー図(５)
【図３７】実施例３の光ディスク記録・再生システムのフロー図(６)
【図３８】実施例３の光ディスク記録・再生システムのフロー図(７)
【図３９】実施例１、及び３の光ディスク記録・再生システムの誤判定メディアログ例
【図４０】実施例２の光ディスク記録・再生システムの判定メディアログ例
【符号の説明】
【０２７５】
１    光ディスク
２    モータ
３    サーボ手段
４    光ピックアップ
５    レーザ駆動手段
６    アナログ信号処理手段
７    ＰＬＬ
８    ディジタル信号処理手段
９    ＣＤ復調手段
１０    ＤＶＤ復調手段
１１    ＢＤ復調手段
１２    ＨＤ ＤＶＤ復調手段
１３    ホストインタフェース手段
１４    制御手段
１５    ユーザインタフェース手段
１６    不揮発性メモリ手段
【図１】
2009301628.tif 000003
【図２】
2009301628.tif 000004
【図３】
2009301628.tif 000005
【図４】
2009301628.tif 000006
【図５】
2009301628.tif 000007
【図６】
2009301628.tif 000008
【図７】
2009301628.tif 000009
【図８】
2009301628.tif 000010
【図９】
2009301628.tif 000011
【図１０】
2009301628.tif 000012
【図１１】
2009301628.tif 000013
【図１２】
2009301628.tif 000014
【図１３】
2009301628.tif 000015
【図１４】
2009301628.tif 000016
【図１５】
2009301628.tif 000017
【図１６】
2009301628.tif 000018
【図１７】
2009301628.tif 000019
【図１８】
2009301628.tif 000020
【図１９】
2009301628.tif 000021
【図２０】
2009301628.tif 000022
【図２１】
2009301628.tif 000023
【図２２】
2009301628.tif 000024
【図２３】
2009301628.tif 000025
【図２４】
2009301628.tif 000026
【図２５】
2009301628.tif 000027
【図２６】
2009301628.tif 000028
【図２７】
2009301628.tif 000029
【図２８】
2009301628.tif 000030
【図２９】
2009301628.tif 000031
【図３０】
2009301628.tif 000032
【図３１】
2009301628.tif 000033
【図３２】
2009301628.tif 000034
【図３３】
2009301628.tif 000035
【図３４】
2009301628.tif 000036
【図３５】
2009301628.tif 000037
【図３６】
2009301628.tif 000038
【図３７】
2009301628.tif 000039
【図３８】
2009301628.tif 000040
【図３９】
2009301628.tif 000041
【図４０】
2009301628.tif 000042